(57)【特許請求の範囲】
【請求項１】
コンピュータに、
複数の防護区画のうちのいずれかについて使用される第１の端末装置を、当該第１の端末装置と火災受信機の間で信号を中継する第１の中継装置と対応付けて設定するための第１の装置設定画面を表示するステップと、
前記複数の防護区画のうちの第１の防護区画について使用される複数の装置を設定するための第１の防護区画設定画面を表示するステップと、
前記第１の装置設定画面において、前記第１の中継装置と対応付けて前記第１の端末装置が設定され、かつ、前記第１の防護区画設定画面において、前記第１の防護区画について使用される装置として前記第１の中継装置が設定されると、前記第１の端末装置の情報を前記第１の防護区画設定画面に反映させるステップと
を実行させるためのプログラム。
【請求項２】
前記コンピュータに、
前記複数の防護区画のうちのいずれかについて使用される第２の端末装置と当該第２の端末装置の警戒区域とを設定するための第２の装置設定画面を表示するステップをさらに実行させ、
前記第１の防護区画設定画面は、前記第２の端末装置の警戒区域を設定するための画面でもあり、
前記コンピュータに、
前記第２の装置設定画面において、前記第２の端末装置と前記第２の端末装置の警戒区域とが設定された場合に、前記第１の防護区画設定画面において、前記第２の端末装置を、前記第１の防護区画について使用される装置の選択対象として表示させない一方で、前記第２の装置設定画面において、前記第２の端末装置が設定され、前記第２の端末装置の警戒区域の設定が省略された場合には、前記第１の防護区画設定画面において、前記第２の端末装置を、前記第１の防護区画について使用される装置の選択対象として表示させるステップをさらに実行させるための、請求項１に記載のプログラム。
【請求項３】
前記コンピュータに、
前記第１の防護区画について使用される複数の装置を設定するための第２の防護区画設定画面を表示するステップと、
前記第１の防護区画設定画面において、前記第１の防護区画について使用される装置として前記第１の中継装置と前記第２の端末装置が対応付けて設定された場合に、前記第２の防護区画設定画面において、前記第１の防護区画について追加的に使用される装置として第２の中継装置が設定され、かつ、メインの中継装置として前記第１の中継装置が設定されると、前記第２の端末装置の情報を前記第２の防護区画設定画面に反映させるステップと
をさらに実行させるための、請求項２に記載のプログラム。
【請求項４】
複数の防護区画のうちのいずれかについて使用される第１の端末装置を、当該第１の端末装置と火災受信機の間で信号を中継する第１の中継装置と対応付けて設定するための第１の装置設定画面を表示する装置設定部と、
前記複数の防護区画のうちの第１の防護区画について使用される複数の装置を設定するための第１の防護区画設定画面を表示する防護区画設定部と
を備え、
前記防護区画設定部は、前記第１の装置設定画面において、前記第１の中継装置と対応付けて前記第１の端末装置が設定され、かつ、前記第１の防護区画設定画面において、前記第１の防護区画について使用される装置として前記第１の中継装置が設定されると、前記第１の端末装置の情報を前記第１の防護区画設定画面に反映させることを特徴とする情報処理システム。
【発明の詳細な説明】
【技術分野】
【０００１】
本発明は、防護区画を設定するためのプログラムに関する。
【背景技術】
【０００２】
従来、二酸化炭素等の消火ガスを放出して火災を消火するガス系消火設備が知られている。例えば、特許文献１には、防護区画の各々に、火災を感知するための火災感知器と、消火ガスを放出するための噴射ヘッドと、消火ガスの放出を手動で行ったり、消火ガスの放出を非常停止したりするための操作箱とを備えるガス系消火設備が記載されている。このガス系消火設備はさらに、防護区画の外部に、消火ガスを貯蔵するための消火ガス貯蔵容器と、このガス系消火設備を制御する制御盤とを備えている。この制御盤は、ある防護区画において火災感知器により火災が感知されたり、操作箱の消火ガス放出スイッチが操作されたりすると、カウントダウンを開始し、その残り時間を盤面と操作箱に表示させる。そして、カウントダウンが終了すると、消火ガス貯蔵容器の開放弁を駆動して、対象の防護区画の噴射ヘッドから消火ガスを放出させる。
【先行技術文献】
【特許文献】
【０００３】
【特許文献１】特開２０１７−１８３３７号公報
【発明の概要】
【発明が解決しようとする課題】
【０００４】
上記のガス系消火設備を機能させるためには、予め防護区画を設定し、設定した防護区画を制御盤に記憶させる必要がある。この防護区画の設定には、各端末装置が防護区画単位で適切に連動するように警戒区域を設定することが必要となるが、この設定は熟練者でなければできないほど複雑である。
【０００５】
本発明は、このような事情に鑑みてなされたものであり、防護区画の設定を容易にすることを目的とする。
【課題を解決するための手段】
【０００６】
上記の課題を解決するため、本発明に係るプログラムは、コンピュータに、複数の防護区画のうちのいずれかについて使用される第１の端末装置を、当該第１の端末装置と火災受信機の間で信号を中継する第１の中継装置と対応付けて設定するための第１の装置設定画面を表示するステップと、前記複数の防護区画のうちの第１の防護区画について使用される複数の装置を設定するための第１の防護区画設定画面を表示するステップと、前記第１の装置設定画面において、前記第１の中継装置と対応付けて前記第１の端末装置が設定され、かつ、前記第１の防護区画設定画面において、前記第１の防護区画について使用される装置として前記第１の中継装置が設定されると、前記第１の端末装置の情報を前記第１の防護区画設定画面に反映させるステップとを実行させる。
【０００７】
好ましい態様において、前記プログラムは、前記コンピュータに、前記複数の防護区画のうちのいずれかについて使用される第２の端末装置と当該第２の端末装置の警戒区域とを設定するための第２の装置設定画面を表示するステップと、前記第２の装置設定画面において、前記第２の端末装置と前記第２の端末装置の警戒区域の設定とがなされた場合に、前記第１の防護区画設定画面において、前記第２の端末装置を、前記第１の防護区画について使用される装置の選択対象として表示させない一方で、前記第２の装置設定画面において、前記第２の端末装置が設定され、前記第２の端末装置の警戒区域の設定が省略された場合には、前記第１の防護区画設定画面において、前記第２の端末装置を、前記第１の防護区画について使用される装置の選択対象として表示させるステップとをさらに実行させてもよい。
【０００８】
さらに好ましい態様において、前記プログラムは、前記コンピュータに、前記第１の防護区画について使用される複数の装置を設定するための第２の防護区画設定画面を表示するステップと、前記第１の防護区画設定画面において、前記第１の防護区画について使用される装置として前記第２の端末装置が設定された場合に、前記第２の防護区画設定画面において、前記第１の防護区画について追加的に使用される装置として第２の中継装置が設定され、かつ、メインの中継装置として前記第１の中継装置が設定されると、前記第２の端末装置の情報を前記第２の防護区画設定画面に反映させるステップとをさらに実行させてもよい。
【０００９】
また、本発明に係る情報処理システムは、複数の防護区画のうちのいずれかについて使用される第１の端末装置を、当該第１の端末装置と火災受信機の間で信号を中継する第１の中継装置と対応付けて設定するための第１の装置設定画面を表示する装置設定部と、前記複数の防護区画のうちの第１の防護区画について使用される複数の装置を設定するための第１の防護区画設定画面を表示する防護区画設定部とを備え、前記防護区画設定部は、前記第１の装置設定画面において、前記第１の中継装置と対応付けて前記第１の端末装置が設定され、かつ、前記第１の防護区画設定画面において、前記第１の防護区画について使用される装置として前記第１の中継装置が設定されると、前記第１の端末装置の情報を前記第１の防護区画設定画面に反映させることを特徴とする。
【発明の効果】
【００１０】
本発明によれば、防護区画の設定を容易にすることができる。
【図面の簡単な説明】
【００１１】
【図１】ガス系消火設備１の構成の一例を示す図
【図２】ガス消火制御装置９の正面図
【図３】ガス消火制御装置９の内部構成を示す図
【図４】火災受信機１０の内部構成を示すブロック図
【図５】装置テーブルＴＢＬ１の一例を示す図
【図６】設定情報テーブルＴＢＬ２の一例を示す図
【図７】連動制御テーブルＴＢＬ３の一例を示す図
【図８】タブレット端末１５の内部構成を示すブロック図
【図９】ＤＢ設定動作の一例を示すフロー図
【図１０】装置一覧画面の一例を示す図
【図１１】装置設定画面の一例を示す図
【図１２】火災感知器２用の装置設定画面の一例を示す図
【図１３】装置テーブルＴＢＬ４の一例を示す図
【図１４】装置一覧画面の一例を示す図
【図１５】ガス消火制御装置９用の装置設定画面の一例を示す図
【図１６】装置テーブルＴＢＬ４の一例を示す図
【図１７】入力装置用の装置設定画面の一例を示す図
【図１８】装置テーブルＴＢＬ４の一例を示す図
【図１９】出力装置用の装置設定画面の一例を示す図
【図２０】装置テーブルＴＢＬ４の一例を示す図
【図２１】防護区画設定画面の一例を示す図
【図２２】ガス消火制御装置９を使用する場合の防護区画設定画面の一例を示す図
【図２３】メインのガス消火制御装置９を登録するための防護区画設定画面の一例を示す図
【図２４】装置テーブルＴＢＬ４の一例を示す図
【図２５】設定情報テーブルＴＢＬ５の一例を示す図
【図２６】連動制御テーブルＴＢＬ６の一例を示す図
【図２７】サブのガス消火制御装置９を登録するための防護区画設定画面の一例を示す図
【図２８】装置テーブルＴＢＬ４の一例を示す図
【図２９】設定情報テーブルＴＢＬ５の一例を示す図
【図３０】装置テーブルＴＢＬ４の一例を示す図
【図３１】ガス消火制御装置９を使用しない場合の防護区画設定画面の一例を示す図
【図３２】装置テーブルＴＢＬ４の一例を示す図
【図３３】設定情報テーブルＴＢＬ５の一例を示す図
【図３４】動作モードが自動モードに設定されている防護区画に対する消火動作の一例を示すシーケンス図
【図３５】動作モードが自動モードに設定されている防護区画に対する消火動作の一例を示すシーケンス図
【図３６】動作モードが手動モードに設定されている防護区画に対する消火動作の一例を示すシーケンス図
【発明を実施するための形態】
【００１２】
１．実施形態
本発明の一実施形態に係るガス系消火設備１について、図面を参照して説明する。
１−１．構成
図１は、ガス系消火設備１の構成の一例を示す図である。同図に示すガス系消火設備１は、建物Ｂに設置されている。この建物Ｂは、それぞれ異なる防護区画（言い換えると、不活性ガス消火設備の消火を対象とする区画）である部屋Ｒｍ１〜Ｒｍ３と、監視室Ｒｍ４と、シリンダ室Ｒｍ５とを備える。これらの部屋のうち、防護区画である部屋Ｒｍ１〜Ｒｍ３の各々の内部には、火災感知器２、噴射ヘッド３、ベル４及びストロボ５が設置されている。また、部屋Ｒｍ１〜Ｒｍ３の各々の外部には、手動放出スイッチ６、緊急停止スイッチ７、放出表示灯８及びガス消火制御装置９が設置されている。監視室Ｒｍ４には、火災受信機１０が設置されている。シリンダ室Ｒｍ５には、消火ガス貯蔵容器１１、選択弁１２、起動用ガス容器１３及び中継器１４が設置されている。以下、ガス系消火設備１の各構成要素について説明する。
【００１３】
火災感知器２は、防護区画の天井に設置され、信号線を介して火災受信機１０と接続されている。火災感知器２は、火災を感知すると、作動信号を火災受信機１０に出力する。
【００１４】
噴射ヘッド３は、防護区画の天井に設置され、配管を介して消火ガス貯蔵容器１１と接続されている。噴射ヘッド３は、消火ガス貯蔵容器１１から供給される消火ガスを放出する。
【００１５】
ベル４は、防護区画内に噴射ヘッド３から消火ガスが放出されていることを警告するための音響装置である。ベル４は、防護区画の壁面に設置され、信号線を介してガス消火制御装置９と接続されている。ベル４は、ガス消火制御装置９から起動信号が入力されると、鳴動する。
【００１６】
ストロボ５は、防護区画内に噴射ヘッド３から消火ガスが放出されていることを警告するための照明装置である。ストロボ５は、防護区画の壁面に設置され、信号線を介してガス消火制御装置９と接続されている。ストロボ５は、ガス消火制御装置９から起動信号が入力されると、発光する。
【００１７】
手動放出スイッチ６は、防護区画内に噴射ヘッド３から消火ガスを放出することを指示するためのスイッチである。手動放出スイッチ６は、防護区画の出入口付近の壁面に設置され、信号線を介してガス消火制御装置９と接続されている。手動放出スイッチ６は、利用者により操作されると、ガス消火制御装置９に対して起動信号を出力する。
【００１８】
緊急停止スイッチ７は、防護区画内に噴射ヘッド３から消火ガスが放出されることを緊急停止するためのスイッチである。緊急停止スイッチ７は、防護区画の出入口付近の壁面に設置され、信号線を介してガス消火制御装置９と接続されている。緊急停止スイッチ７は、利用者により操作されると、ガス消火制御装置９に対して停止信号を出力する。
【００１９】
放出表示灯８は、防護区画内に噴射ヘッド３から消火ガスが放出されていることを警告するための表示装置である。放出表示灯８は、防護区画の出入口付近の壁面に設置され、信号線を介してガス消火制御装置９と接続されている。放出表示灯８は、ガス消火制御装置９から起動信号が入力されると、点灯する。
【００２０】
ガス消火制御装置９は、防護区画に設置された端末装置と、信号線を介して接続される火災受信機１０との間で信号を中継するための中継装置である。このガス消火制御装置９に接続される端末装置には、ベル４、ストロボ５、手動放出スイッチ６、緊急停止スイッチ７及び放出表示灯８が含まれる。このガス消火制御装置９の具体的な構成については後述する。
【００２１】
火災受信機１０は、ガス系消火設備１の消火動作を制御する装置である。火災受信機１０の具体的な構成については後述する。
【００２２】
消火ガス貯蔵容器１１は、二酸化炭素やハロンガス等の消火ガスを貯蔵する容器である。消火ガス貯蔵容器１１の各々は、容器弁を介して集合配管に接続されている。この集合配管は、防護区画ごとに設置される選択弁１２を介して分枝されている。分枝された配管は、それぞれ異なる防護区画に設置された噴射ヘッド３に接続されている。
【００２３】
起動用ガス容器１３は、消火ガス貯蔵容器１１の容器弁と選択弁１２を開放するための起動用ガスを貯蔵する容器である。起動用ガス容器１３は、選択弁１２ごとに（言い換えると、防護区画ごとに）設置されている。起動用ガス容器１３の各々は、消火ガス貯蔵容器１１の容器弁と、対応する選択弁１２とに配管を介して接続されている。また、起動用ガス容器１３の各々の容器弁ソレノイドは、中継器１４を介して信号線で火災受信機１０と接続されている。火災受信機１０から中継器１４に起動信号が入力されると、中継器１４はこの容器弁ソレノイドを作動させ、起動用ガス容器１３から起動用ガスを放出させる。その放出された起動用ガスのガス圧により、消火ガス貯蔵容器１１の容器弁と、対応する選択弁１２を開放する。その結果、消火ガス貯蔵容器１１に貯蔵された消火ガスは、当該選択弁１２により分枝される配管を通って、当該配管に接続されている噴射ヘッド３から放出される。
【００２４】
次に、ガス消火制御装置９の具体的な構成について説明する。
【００２５】
図２は、ガス消火制御装置９の正面図である。同図に示すガス消火制御装置９は、直方体形状の筺体９１を備え、その筺体９１の正面に、状態表示灯９２１、カウントダウン表示器９２２及びモード選択スイッチ９３を備える。
【００２６】
状態表示灯９２１は、ガス消火制御装置９の電源オン時に点灯する電源灯９２１１、自動モード選択中に点灯する自動モード表示灯９２１２、手動モード選択中に点灯する手動モード表示灯９２１３、消火ガスが放出されるまでのカウントダウン中に点灯する放出予告灯９２１４、消火ガス放出中に点灯する放出灯９２１５、手動放出スイッチ６が操作されると点灯する手動放出灯９２１６、及び緊急停止スイッチ７が操作されると点灯する緊急停止灯９２１７からなる。
【００２７】
カウントダウン表示器９２２は、消火ガスが放出されるまでのカウントダウンを表示する７セグメントディスプレイである。
【００２８】
モード選択スイッチ９３は、ガス消火制御装置９が設置されている防護区画における動作モードを、自動モードと手動モードの間で選択するためのキースイッチである。このモード選択スイッチ９３により選択される動作モードのうち、自動モードは、当該防護区画に設置された火災感知器２が火災を感知したとき、又は、当該防護区画に設置された手動放出スイッチ６が利用者により操作されたときに、当該防護区画内に消火ガスを放出させる動作モードである。一方、手動モードは、当該防護区画に設置された手動放出スイッチ６が利用者により操作されたときにのみ、当該防護区画内に消火ガスを放出させる動作モードである。
【００２９】
次に、図３は、ガス消火制御装置９の内部構成を示す図である。同図に示すガス消火制御装置９は、筺体９１内に、表示部９２、上記のモード選択スイッチ９３、入出力制御部９４を収容する。
【００３０】
表示部９２は、上記の状態表示灯９２１及びカウントダウン表示器９２２からなる。
【００３１】
入出力制御部９４は、マイクロコントローラを備える。この入出力制御部９４は、信号線を介して火災受信機１０と表示部９２とに接続され、火災受信機１０から出力される信号を受けて表示部９２を起動する。
【００３２】
また、入出力制御部９４は、信号線を介してモード選択スイッチ９３に接続され、モード選択スイッチ９３から出力される信号を火災受信機１０に中継する。このモード選択スイッチ９３から出力される信号は、モード選択スイッチ９３を用いて選択された動作モードを示す信号である。具体的には、選択された動作モードに割り当てられたアドレスを示す信号である。この信号を受信した火災受信機１０は、選択された動作モードを、ガス消火制御装置９のアドレスと対応付けて、後述する設定情報テーブルＴＢＬ２に格納する。
【００３３】
また、入出力制御部９４は、信号線を介して手動放出スイッチ６に接続され、手動放出スイッチ６から出力される起動信号を火災受信機１０に中継する。
【００３４】
また、入出力制御部９４は、信号線を介して緊急停止スイッチ７に接続され、緊急停止スイッチ７から出力される停止信号を火災受信機１０に中継する。
【００３５】
また、入出力制御部９４は、信号線を介してベル４に接続され、火災受信機１０から出力される起動信号を受けてベル４を起動する。
【００３６】
また、入出力制御部９４は、信号線を介してストロボ５に接続され、火災受信機１０から出力される起動信号を受けてストロボ５を起動する。
【００３７】
また、入出力制御部９４は、信号線を介して放出表示灯８に接続され、火災受信機１０から出力される起動信号を受けて放出表示灯８を起動する。
【００３８】
次に、火災受信機１０の具体的な構成について説明する。
【００３９】
図４は、火災受信機１０の内部構成を示すブロック図である。同図に示す火災受信機１０は、制御部１０１、表示部１０２、ブザー１０３及び伝送部１０４を備える。
【００４０】
制御部１０１は、プロセッサ１０１１と、制御プログラムＰ１を記憶するメモリ１０１２を備える。プロセッサ１０１１は、メモリ１０１２に記憶される制御プログラムＰ１を起動して、後述する消火動作を実行する。この制御部１０１の詳細については後述する。
【００４１】
表示部１０２は、火災灯１０２１、放出予告灯１０２２、放出灯１０２３及びカウントダウン表示器１０２４を備える。火災灯１０２１は、１個の火災感知器２が作動するか、手動放出スイッチ６が操作されると点灯する。放出予告灯１０２２は、２個の火災感知器２が作動すると、消火ガスが放出されるまでのカウントダウン中に点灯する。放出灯１０２３は、消火ガス放出中に点灯する。カウントダウン表示器１０２４は、消火ガスが放出されるまでのカウントダウンを表示する７セグメントディスプレイである。
【００４２】
ブザー１０３は、火災の発生を警告するための音響装置である。
【００４３】
伝送部１０４は、火災感知器２、ガス消火制御装置９及び中継器１４と信号線を介して接続され、これらの装置と信号の送受信を行う。
【００４４】
次に、制御部１０１の詳細について説明する。
制御部１０１のメモリ１０１２は、上記の制御プログラムＰ１に加えて、装置テーブルＴＢＬ１、設定情報テーブルＴＢＬ２及び連動制御テーブルＴＢＬ３を記憶する。
【００４５】
装置テーブルＴＢＬ１は、ガス系消火設備１で使用される装置を管理するためのテーブルである。図５は、この装置テーブルＴＢＬ１の一例を示す図である。この装置テーブルＴＢＬ１を構成する各レコードは、同図に示すように、アドレス、回線番号、種別、分類、警戒区域（言い換えると、火災の発生した区域を他の区域と区別して認識する事ができる最小単位の区域）及び消火システムチェックの各フィールドにより構成されている。これらのフィールドのうち、消火システムチェックは、後述する装置設定画面（図１７又は図１９参照）において消火システムチェックボックスＢｘ８がチェックされると値「Ｔｒｕｅ」が登録される。この消火システムチェックボックスＢｘ８については後述する。
この装置テーブルＴＢＬ１は、後述する消火動作において、防護区画単位で連動させるべき装置を特定するために参照される。
【００４６】
次に、設定情報テーブルＴＢＬ２は、上記の装置テーブルＴＢＬ１に登録されている装置の設定情報を格納するためのテーブルである。図６は、この設定情報テーブルＴＢＬ２の一例を示す図である。この設定情報テーブルＴＢＬ２を構成する各レコードは、同図に示すように、アドレス、回線番号、動作パターン、遅延時間、放出時間及び動作モードの各フィールドにより構成されている。これらのフィールドのうち、動作パターンは、具体的には、ベル４の鳴動パターンとストロボ５の発光パターンのことである。この動作パターンには、例えば、オフ、間欠１（長周期）、間欠２（短周期）、連続の４種類がある。この動作パターンは、出火の第１報時、消火ガスの放出予告時、消火ガスの放出時の３つのタイミングの各々について設定可能となっている。次に、遅延時間は、噴射ヘッド３から消火ガスを放出するまでの遅延時間である。言い換えると、カウントダウン時間である。次に、放出時間は、噴射ヘッド３から消火ガスを放出する時間の長さである。
この設定情報テーブルＴＢＬ２は、後述する消火動作において、端末装置の動作方法や動作タイミングを特定するために参照される。
【００４７】
次に、連動制御テーブルＴＢＬ３は、防護区画ごとに連動制御の条件を定めるテーブルである。図７は、この連動制御テーブルＴＢＬ３の一例を示す図である。この連動制御テーブルＴＢＬ３を構成する各レコードは、同図に示すように、入力区域、出力区域、連動種別及び感知器個数の各フィールドにより構成されている。これらのフィールドのうち、連動種別には、「カウント」と「クロス」の２種類がある。「カウント」は、所定の警戒区域の火災感知器２が所定個数作動すると連動制御を行う制御方法であり、「クロス」は、２つの所定の警戒区域において火災感知器２が作動すると連動制御を行う制御方法である。例えば、同図に示す第１番目のレコードは、連動種別が「カウント」であり、警戒区域「０００１」の火災感知器２が２個作動すると、警戒区域「１００１」の装置を連動制御するという条件を規定している。一方、同図に示す第２番目のレコードは、連動種別が「クロス」であり、警戒区域「０００２」の火災感知器２と警戒区域「０００３」の火災感知器２の両方が作動すると、警戒区域「１００２」の装置を連動制御するという条件を規定している。
この連動制御テーブルＴＢＬ３は、後述する消火動作において、防護区画単位で連動させるべき装置を特定するために参照される。
【００４８】
以上説明した３つのテーブルは、火災受信機１０とは別の機器であるタブレット端末１５において編集される。そして、タブレット端末１５において編集された各テーブルは、ＳＤカード等の記憶媒体や有線又は無線通信を介して、火災受信機１０のメモリ１０１２に格納される。以下、このタブレット端末１５について説明する。
【００４９】
図８は、タブレット端末１５の内部構成を示すブロック図である。同図に示すタブレット端末１５は、制御部１５１、表示部１５２及び操作入力部１５３を備える。
【００５０】
制御部１５１は、プロセッサ１５１１とメモリ１５１２を備える。このうち、メモリ１５１２は、ＤＢ設定プログラムＰ２、装置テーブルＴＢＬ４、設定情報テーブルＴＢＬ５及び連動制御テーブルＴＢＬ６を記憶する。
【００５１】
このうち、装置テーブルＴＢＬ４は、火災受信機１０に記憶されている装置テーブルＴＢＬ１とデータ構成が共通している。そのため、この装置テーブルＴＢＬ４の説明は割愛する。
【００５２】
設定情報テーブルＴＢＬ５は、火災受信機１０に記憶されている設定情報テーブルＴＢＬ２とデータ構成が共通している。そのため、この設定情報テーブルＴＢＬ５の説明は割愛する。
【００５３】
連動制御テーブルＴＢＬ６は、火災受信機１０に記憶されている連動制御テーブルＴＢＬ３とデータ構成が共通している。そのため、この連動制御テーブルＴＢＬ６の説明は割愛する。
【００５４】
次に、制御部１５１のプロセッサ１５１１は、メモリ１５１２に記憶されているＤＢ設定プログラムＰ２を実行して、上記の各種テーブルを編集するための機能を実現する。具体的には、装置設定部Ｆ１と防護区画設定部Ｆ２という機能を実現する。
【００５５】
装置設定部Ｆ１は、複数の防護区画のうちのいずれかについて使用される装置を設定するための装置設定画面を表示部１５２に表示させる。この装置設定画面において、防護区画について使用される装置の情報が入力されると、装置設定部Ｆ１は、入力された装置の情報を装置テーブルＴＢＬ４に登録する。また、装置設定部Ｆ１は、装置テーブルＴＢＬ４を参照して、装置一覧画面を生成し、表示部１５２に表示させる。この装置設定部Ｆ１の詳細な動作については後述する。
【００５６】
一方、防護区画設定部Ｆ２は、複数の防護区画のうちのいずれかを設定するための防護区画設定画面を表示部１５２に表示させる。この防護区画設定画面では、特定の防護区画について使用される複数の装置が設定される。この防護区画設定画面によれば、特定の防護区画について使用される複数の装置を概観することが可能になるため、各装置の設定が行いやすくなる。この防護区画設定画面において、防護区画について使用される複数の装置の情報が入力されると、防護区画設定部Ｆ２は、入力された装置の情報を、装置テーブルＴＢＬ４、設定情報テーブルＴＢＬ５及び連動制御テーブルＴＢＬ６に登録する。この防護区画設定部Ｆ２の詳細な動作については後述する。
以上が、制御部１５１についての説明である。
【００５７】
次に、表示部１５２は、液晶ディスプレイ又は有機ＥＬディスプレイである。
【００５８】
操作入力部１５３は、表示部１５２に重ねて配置されたタッチセンサである。
【００５９】
１−２．動作
次に、タブレット端末１５で行われるＤＢ設定動作について説明する。その次に、ガス系消火設備１で行われる消火動作について説明する。
【００６０】
１−２−１．ＤＢ設定動作
図９は、ＤＢ設定動作の一例を示すフロー図である。同図に示すフローは、上記の装置テーブルＴＢＬ４、設定情報テーブルＴＢＬ５及び連動制御テーブルＴＢＬ６を新たに作成するための動作の流れを示している。
【００６１】
このＤＢ設定動作のステップＳａ１において、まず、タブレット端末１５の利用者は、ＤＢ設定プログラムＰ２の実行を指示する。この指示を受けてＤＢ設定プログラムＰ２が実行されると、装置設定部Ｆ１は、装置テーブルＴＢＬ４を参照して装置一覧画面を生成し、表示部１５２に表示させる。図１０は、この装置一覧画面の一例を示す図である。同図に示す装置一覧画面は、装置一覧Ｌ１を有する。この装置一覧Ｌ１には、いずれの装置も登録されていない。これは、装置テーブルＴＢＬ４に、いずれの装置も登録されていないからである。
【００６２】
次に、ステップＳａ２において、利用者は、火災感知器２を装置テーブルＴＢＬ４に登録するための操作を行う。具体的には、まず、装置一覧画面においてアドレス「０１−００１」を選択した上で、装置設定画面の表示を指示する。この指示を受けて、装置設定部Ｆ１は、装置設定画面を表示部１５２に表示させる。図１１は、この装置設定画面の一例を示す図である。同図に示す装置設定画面は、登録対象の装置の種別を選択するためのプルダウンメニューＭ１、ＯＫボタンＢｔ１及びキャンセルボタンＢｔ２を有する。
【００６３】
この装置設定画面のプルダウンメニューＭ１において、利用者が、同図に示すように「感知器」を選択すると、装置設定部Ｆ１は、火災感知器２用の装置設定画面を表示部１５２に表示させる。図１２は、この火災感知器２用の装置設定画面の一例を示す図である。同図に示す装置設定画面は、プルダウンメニューＭ１（予め「感知器」が選択されている。）、火災感知器２の分類を選択するためのプルダウンメニューＭ２、火災感知器２の警戒区域を入力するための数値入力ボックスＢｘ１、ＯＫボタンＢｔ１及びキャンセルボタンＢｔ２を有する。
【００６４】
この装置設定画面において、利用者が、同図に示すように、プルダウンメニューＭ２において「煙感知器」を選択し、数値入力ボックスＢｘ１に「０００１」を入力して、ＯＫボタンＢｔ１を選択すると、装置設定部Ｆ１は、選択又は入力された情報を装置テーブルＴＢＬ４に登録する。図１３は、選択又は入力された情報が新たに登録された装置テーブルＴＢＬ４の一例を示す図である。同図に示す装置テーブルＴＢＬ４には、アドレス「０１−００１」に対応付けて、回線番号「１」（自動的に付与される。）、種別「感知器」、分類「煙感知器」及び警戒区域「０００１」が新たに登録されている。
【００６５】
この装置テーブルＴＢＬ４の更新に伴い、装置設定部Ｆ１は、上述した図１０に例示する装置設定画面を更新して、表示部１５２に表示させる。図１４は、この更新後の装置一覧画面の一例を示す図である。同図に示す装置一覧画面は、装置一覧Ｌ２を有する。この装置一覧Ｌ２には、アドレス「０１−００１」に対応付けて、回線番号「１」、種別「感知器」、分類「煙感知器」及び警戒区域「０００１」が新たに登録されている。
【００６６】
次に、ステップＳａ３において、利用者は、２個目の火災感知器２を装置テーブルＴＢＬ４に登録するための操作を行う。具体的には、まず、表示部１５２に表示されている装置一覧画面においてアドレス「０１−００２」を選択した上で、装置設定画面の表示を指示する。この指示を受けて、装置設定部Ｆ１は、上述した図１１に例示される装置設定画面を表示部１５２に表示させる。この装置設定画面の表示後の動作については、１個目の火災感知器２を登録する際の動作と同様であるため、その説明を割愛する。
【００６７】
次に、ステップＳａ４において、利用者は、ガス消火制御装置９を装置テーブルＴＢＬ４に登録するための操作を行う。具体的には、まず、表示部１５２に表示されている装置一覧画面においてアドレス「０１−００３」を選択した上で、装置設定画面の表示を指示する。この指示を受けて、装置設定部Ｆ１は、上述した図１１に例示される装置設定画面を表示部１５２に表示させる。
【００６８】
この装置設定画面のプルダウンメニューＭ１において、利用者が「ＧＳＣＵ（Gas Suppression Control unit：ガス消火制御装置）」を選択すると、装置設定部Ｆ１は、ガス消火制御装置９用の装置設定画面を表示部１５２に表示させる。図１５は、このガス消火制御装置９用の装置設定画面の一例を示す図である。同図に示す装置設定画面は、プルダウンメニューＭ１（予め「ＧＳＣＵ」が選択されている。）、入力装置の使用有無を選択するためのチェックボックスＢｘ２〜Ｂｘ４、出力装置の使用有無を選択するためのチェックボックスＢｘ５〜Ｂｘ７、出力装置の分類を選択するためのプルダウンメニューＭ３及びＭ４、ＯＫボタンＢｔ１並びにキャンセルボタンＢｔ２を有する。このうち、チェックボックスＢｘ２〜Ｂｘ４は、それぞれ、モード選択スイッチ９３、手動放出スイッチ６、緊急停止スイッチ７の使用有無を選択するためのチェックボックスである。次に、チェックボックスＢｘ５〜Ｂｘ７は、それぞれ、プルダウンメニューＭ３で選択された出力装置、プルダウンメニューＭ４で選択された出力装置、放出表示灯８の使用有無を選択するためのチェックボックスである。
この装置設定画面は、ガス消火制御装置９を、当該ガス消火制御装置９と接続される端末装置と対応付けて設定するための画面である。
【００６９】
この装置設定画面において、利用者が、同図に示すように、チェックボックスＢｘ２〜Ｂｘ７のすべてをチェックし、プルダウンメニューＭ３及びＭ４のそれぞれにおいて「ベル」、「ストロボ」を選択し、ＯＫボタンＢｔ１を選択すると、装置設定部Ｆ１は、選択又は入力された情報を装置テーブルＴＢＬ４に登録する。図１６は、選択又は入力された情報が新たに登録された装置テーブルＴＢＬ４の一例を示す図である。同図に示す装置テーブルＴＢＬ４には、アドレス「０１−００３」に対応付けて、ガス消火制御装置９と入力装置が新たに登録されている。新たに登録された入力装置のうち、「（モード選択スイッチ９３の）自動モード」は、回線番号「１」と対応付けられ、「（モード選択スイッチ９３の）手動モード」は、回線番号「２」と対応付けられ、「手動放出スイッチ」は、回線番号「３」と対応付けられ、「緊急停止スイッチ」は、回線番号「４」と対応付けられている。また、アドレス「０１−００３」の直後の別のアドレス「０１−００４」に対応付けて、ガス消火制御装置９と出力装置が新たに登録されている。新たに登録された出力装置のうち、「ベル」は、回線番号「１」と対応付けられ、「ストロボ」は、回線番号「２」と対応付けられ、「放出表示灯」は、回線番号「３」と対応付けられている。なおここで、各回線番号は自動的に付与される。
【００７０】
次に、ステップＳａ５において、利用者は、２台目のガス消火制御装置９を装置テーブルＴＢＬ４に登録するための操作を行う。この２台目のガス消火制御装置９は、上記のステップＳａ４で登録されたガス消火制御装置９のサブとして使用されるガス消火制御装置９である。このサブのガス消火制御装置９は、出入口を複数有する防護区画においてそのうちの１つの出入口付近に設置して使用されたり、火災受信機１０の近傍に設置して使用されたりする。なお、このサブのガス消火制御装置９の使用は任意である。
【００７１】
このサブのガス消火制御装置９を登録しようとする利用者は、まず、表示部１５２に表示されている装置一覧画面においてアドレス「０１−００５」を選択した上で、装置設定画面の表示を指示する。この指示を受けて、装置設定部Ｆ１は、上述した図１１に例示される装置設定画面を表示部１５２に表示させる。この装置設定画面の表示後の動作については、１台目のガス消火制御装置９を登録する際の動作と同様であるため、その説明を割愛する。
【００７２】
次に、ステップＳａ６において、利用者は、消火剤選択スイッチを装置テーブルＴＢＬ４に登録するための操作を行う。具体的には、まず、表示部１５２に表示されている装置一覧画面においてアドレス「０１−００７」を選択した上で、装置設定画面の表示を指示する。この指示を受けて、装置設定部Ｆ１は、上述した図１１に例示される装置設定画面を表示部１５２に表示させる。
【００７３】
この装置設定画面のプルダウンメニューＭ１において、利用者が「入力装置」を選択すると、装置設定部Ｆ１は、入力装置用の装置設定画面を表示部１５２に表示させる。図１７は、この入力装置用の装置設定画面の一例を示す図である。同図に示す装置設定画面は、プルダウンメニューＭ１（予め「入力装置」が選択されている。）、入力装置の分類を選択するためのプルダウンメニューＭ５、入力装置の警戒区域を入力するための数値入力ボックスＢｘ１、消火システムチェックボックスＢｘ８、ＯＫボタンＢｔ１及びキャンセルボタンＢｔ２を有する。このうち、消火システムチェックボックスＢｘ８は、警戒区域の設定を、後述する防護区画設定画面で行いたいときにチェックするチェックボックスである。この消火システムチェックボックスＢｘ８をチェックすると、数値入力ボックスＢｘ１への入力が不可となる。
この装置設定画面は、端末装置と当該端末装置の警戒区域を設定するための画面である。
【００７４】
この装置設定画面において、利用者が、同図に示すように、プルダウンメニューＭ５において「消火剤選択スイッチ」を選択し、消火システムチェックボックスＢｘ８をチェックして、ＯＫボタンＢｔ１を選択すると、装置設定部Ｆ１は、選択又は入力された情報を装置テーブルＴＢＬ４に登録する。図１８は、選択又は入力された情報が新たに登録された装置テーブルＴＢＬ４の一例を示す図である。同図に示す装置テーブルＴＢＬ４には、アドレス「０１−００７」に対応付けて、回線番号「１」（自動的に付与される。）、種別「入力装置」、分類「消火剤選択スイッチ」及び消火システムチェック「Ｔｒｕｅ」が新たに登録されている。
なお、図１７に示す装置設定画面において、消火システムチェックボックスＢｘ８のチェックに代えて数値入力ボックスＢｘ１に数値「１００１」が入力された場合には、図１８に示す装置テーブルＴＢＬ４において、消火システムチェック「Ｔｒｕｅ」に代えて警戒区域「１００１」が新たに登録される。
【００７５】
次に、ステップＳａ７において、利用者は、圧力スイッチを装置テーブルＴＢＬ４に登録するための操作を行う。具体的には、まず、表示部１５２に表示されている装置一覧画面においてアドレス「０１−００８」を選択した上で、装置設定画面の表示を指示する。この指示を受けて、装置設定部Ｆ１は、上述した図１１に例示される装置設定画面を表示部１５２に表示させる。この装置設定画面の表示後の動作については、プルダウンメニューＭ５において「消火剤選択スイッチ」に代えて「圧力スイッチ」を選択する点以外は、消火剤選択スイッチを登録する際の動作と同様であるため、その説明を割愛する。
【００７６】
次に、ステップＳａ８において、利用者は、選択弁１２を装置テーブルＴＢＬ４に登録するための操作を行う。具体的には、まず、表示部１５２に表示されている装置一覧画面においてアドレス「０１−００９」を選択した上で、装置設定画面の表示を指示する。この指示を受けて、装置設定部Ｆ１は、上述した図１１に例示される装置設定画面を表示部１５２に表示させる。
【００７７】
この装置設定画面のプルダウンメニューＭ１において、利用者が「出力装置」を選択すると、装置設定部Ｆ１は、出力装置用の装置設定画面を表示部１５２に表示させる。図１９は、この出力装置用の装置設定画面の一例を示す図である。同図に示す装置設定画面は、プルダウンメニューＭ１（予め「出力装置」が選択されている。）、出力装置の分類を選択するためのプルダウンメニューＭ６、出力装置の警戒区域を入力するための数値入力ボックスＢｘ１、消火システムチェックボックスＢｘ８、ＯＫボタンＢｔ１及びキャンセルボタンＢｔ２を有する。
この装置設定画面は、端末装置と当該端末装置の警戒区域を設定するための画面である。
【００７８】
この装置設定画面において、利用者が、同図に示すように、プルダウンメニューＭ６において「選択弁」を選択し、消火システムチェックボックスＢｘ８をチェックして、ＯＫボタンＢｔ１を選択すると、装置設定部Ｆ１は、選択又は入力された情報を装置テーブルＴＢＬ４に登録する。図２０は、選択又は入力された情報が新たに登録された装置テーブルＴＢＬ４の一例を示す図である。同図に示す装置テーブルＴＢＬ４には、アドレス「０１−００９」に対応付けて、回線番号「１」（自動的に付与される。）、種別「出力装置」、分類「選択弁」及び消火システムチェック「Ｔｒｕｅ」が新たに登録されている。
なお、図１９に示す装置設定画面において、消火システムチェックボックスＢｘ８のチェックに代えて数値入力ボックスＢｘ１に数値「１００１」が入力された場合には、図２０に示す装置テーブルＴＢＬ４において、消火システムチェック「Ｔｒｕｅ」に代えて警戒区域「１００１」が新たに登録される。
【００７９】
次に、ステップＳａ９において、利用者は、防護区画を設定するための操作を行う。具体的には、まず、防護区画設定画面の表示を指示する。この指示を受けて、防護区画設定部Ｆ２は、防護区画設定画面を表示部１５２に表示させる。図２１は、この防護区画設定画面の一例を示す図である。同図に示す防護区画設定画面は、ガス消火制御装置９の使用有無を選択するためのプルダウンメニューＭ７、ＯＫボタンＢｔ１及びキャンセルボタンＢｔ２を有する。
【００８０】
この防護区画設定画面のプルダウンメニューＭ７において、利用者が、同図に示すように、「使用する」を選択すると、防護区画設定部Ｆ２は、ガス消火制御装置９を使用する場合の防護区画設定画面を表示部１５２に表示させる。図２２は、このガス消火制御装置９を使用する場合の防護区画設定画面の一例を示す図である。同図に示す防護区画設定画面は、プルダウンメニューＭ７（予め「使用する」が選択されている。）、メインとサブのいずれのガス消火制御装置９を登録するかを選択するためのラジオボタンＢｔ３及びＢｔ４、メインのガス消火制御装置９を選択するためのプルダウンメニューＭ８、サブのガス消火制御装置９を選択するためのプルダウンメニューＭ９、並びにサブのガス消火制御装置９を登録する場合にメインのガス消火制御装置９を選択するためのプルダウンメニューＭ１０を有する。
【００８１】
この防護区画設定画面のプルダウンメニューＭ７において、利用者が、同図に示すように、ラジオボタンＢｔ３をチェックし、プルダウンメニューＭ６において「０１−００３」を選択すると、防護区画設定部Ｆ２は、メインのガス消火制御装置９を登録するための防護区画設定画面を表示部１５２に表示させる。図２３は、このメインのガス消火制御装置９を登録するための防護区画設定画面の一例を示す図である。同図に示す防護区画設定画面は、プルダウンメニューＭ７（予め「使用する」が選択されている。）、ラジオボタンＢｔ３及びＢｔ４（予めラジオボタンＢｔ３が選択されている。）、プルダウンメニューＭ８（予め「０１−００３」が選択されている。）、プルダウンメニューＭ９及びＭ１０、連動制御設定領域Ｒ１、消火剤選択スイッチ設定領域Ｒ２、選択弁等設定領域Ｒ３、ガス消火制御装置設定領域Ｒ４、ＯＫボタンＢｔ１並びにキャンセルボタンＢｔ２を有する。
【００８２】
このうち、連動制御設定領域Ｒ１には、連動種別「カウント」を選択するためのチェックボックスＢｘ９、連動種別「クロス」を選択するためのチェックボックスＢｘ１０、入力区域を入力するための数値入力ボックスＢｘ１１〜Ｂｘ１３、感知器個数を入力するための数値入力ボックスＢｘ１４、並びに出力区域を入力するための数値入力ボックスＢｘ１５及びＢｘ１６が含まれる。
【００８３】
この連動制御設定領域Ｒ１において、利用者は、警戒区域「０００１」の火災感知器２と警戒区域「０００２」の火災感知器２の両方が作動したときに連動制御を開始させたい場合には、同図に示すように、チェックボックスＢｘ１０にチェックし、数値入力ボックスＢｘ１２及びＢｘ１３のそれぞれに数値「０００１」、「０００２」を入力する。この入力を受けて、防護区画設定部Ｆ２は、出力区域を示す数値（同図では「１００１」）を自動的に割り当て、数値入力ボックスＢｘ１６に設定する。
【００８４】
別の例として、利用者が、警戒区域「０００１」の火災感知器２が２個作動したときに連動制御を開始させたい場合には、チェックボックスＢｘ９にチェックし、数値入力ボックスＢｘ１１及びＢｘ１４のそれぞれに数値「０００１」、「２」を入力する。この入力を受けて、防護区画設定部Ｆ２は、出力区域を示す数値を自動的に割り当て、数値入力ボックスＢｘ１５に設定する。
【００８５】
次に、消火剤選択スイッチ設定領域Ｒ２には、消火剤選択スイッチを選択するためのプルダウンメニューＭ１１が含まれる。
【００８６】
この消火剤選択スイッチ設定領域Ｒ２において、利用者が、プルダウンメニューＭ１１の矢印マークを選択すると、防護区画設定部Ｆ２は、消火剤選択スイッチの候補をリスト表示させる。その際、防護区画設定部Ｆ２は、装置テーブルＴＢＬ４を参照して、分類「消火剤選択スイッチ」に対応付けられているアドレスのうち、特に消火システムチェック「Ｔｒｕｅ」に対応付けられているアドレスを抽出してリスト表示させる。例えば、図２０に例示する装置テーブルＴＢＬ４では、アドレス「０１−００７」を抽出してリスト表示させる。ここで、消火システムチェック「Ｔｒｕｅ」に対応付けられているアドレスを抽出する理由は、警戒区域が設定されていない消火剤選択スイッチのアドレスのみを抽出するためである。
【００８７】
次に、選択弁等設定領域Ｒ３には、自動モード時の遅延時間を入力するための数値入力ボックスＢｘ１７、消火ガスの放出時間を入力するための数値入力ボックスＢｘ１８、選択弁１２を選択するためのプルダウンメニューＭ１２、及び圧力スイッチを選択するためのプルダウンメニューＭ１３が含まれる。
【００８８】
この選択弁等設定領域Ｒ３において、利用者が、プルダウンメニューＭ１２の矢印マークを選択すると、防護区画設定部Ｆ２は、選択弁１２の候補をリスト表示させる。その際、防護区画設定部Ｆ２は、装置テーブルＴＢＬ４を参照して、分類「選択弁」に対応付けられているアドレスのうち、特に消火システムチェック「Ｔｒｕｅ」に対応付けられているアドレスを抽出してリスト表示させる。例えば、図２０に例示する装置テーブルＴＢＬ４では、アドレス「０１−００９」を抽出してリスト表示させる。ここで、消火システムチェック「Ｔｒｕｅ」に対応付けられているアドレスを抽出する理由は、警戒区域が設定されていない選択弁１２のアドレスのみを抽出するためである。
【００８９】
一方、利用者が、プルダウンメニューＭ１３の矢印マークを選択すると、防護区画設定部Ｆ２は、圧力スイッチの候補をリスト表示させる。その際、防護区画設定部Ｆ２は、装置テーブルＴＢＬ４を参照して、分類「圧力スイッチ」に対応付けられているアドレスのうち、特に消火システムチェック「Ｔｒｕｅ」に対応付けられているアドレスを抽出してリスト表示させる。例えば、図２０に例示する装置テーブルＴＢＬ４では、アドレス「０１−００８」を抽出してリスト表示させる。ここで、消火システムチェック「Ｔｒｕｅ」に対応付けられているアドレスを抽出する理由は、警戒区域が設定されていない圧力スイッチのアドレスのみを抽出するためである。
【００９０】
上記の消火剤選択スイッチ設定領域Ｒ２及び選択弁等設定領域Ｒ３では、防護区画設定部Ｆ２は、消火システムチェック「Ｔｒｕｅ」に対応付けられている端末装置のみを選択候補としてプルダウンメニューＭ１１〜Ｍ１３にリスト表示させる。言い換えると、防護区画設定部Ｆ２は、装置設定画面において設定された端末装置であって、当該画面においてその警戒区域の設定が省略された端末装置のみを選択対象として表示させる。逆に言うと、警戒区域についても同画面において設定された端末装置については選択対象として表示させない。そのため、利用者にとって、防護区画設定画面において設定すべき端末装置の選択が容易になる。
【００９１】
次に、ガス消火制御装置設定領域Ｒ４には、モード選択スイッチ設定領域Ｒ４１、手動放出スイッチ設定領域Ｒ４２、緊急停止スイッチ設定領域Ｒ４３、出力装置設定領域Ｒ４４及びＲ４５、並びに放出表示灯設定領域Ｒ４６が含まれる。
【００９２】
このうち、モード選択スイッチ設定領域Ｒ４１には、自動モードのアドレスを選択するためのプルダウンメニューＭ１４と、手動モードのアドレスを選択するためのプルダウンメニューＭ１５が含まれる。
【００９３】
このうち、プルダウンメニューＭ１４には、特定の自動モードのアドレスが予め選択されている。この特定の自動モードのアドレスとは、上記のプルダウンメニューＭ８で選択されたガス消火制御装置９の自動モードのアドレスである。この自動モードのアドレスを特定するために、防護区画設定部Ｆ２は、第１に、プルダウンメニューＭ８で選択されたガス消火制御装置９のアドレス「０１−００３」を特定する。第２に、装置テーブルＴＢＬ４を参照し、このアドレス「０１−００３」と対応付けられている自動モードの回線番号「１」を特定する。最後に、特定したアドレス「０１−００３」と回線番号「１」を組み合わせて、アドレス「０１−００３−１」を構成し、図２３に例示するように、プルダウンメニューＭ１４に予め設定する。
【００９４】
一方、プルダウンメニューＭ１５には、特定の手動モードのアドレスが予め選択されている。この特定の手動モードのアドレスとは、上記のプルダウンメニューＭ８で選択されたガス消火制御装置９の手動モードのアドレスである。この手動モードのアドレスを特定するために、防護区画設定部Ｆ２は、第１に、プルダウンメニューＭ８で選択されたガス消火制御装置９のアドレス「０１−００３」を特定する。第２に、装置テーブルＴＢＬ４を参照し、このアドレス「０１−００３」と対応付けられている手動モードの回線番号「２」を特定する。最後に、特定したアドレス「０１−００３」と回線番号「２」を組み合わせて、アドレス「０１−００３−２」を構成し、図２３に例示するように、プルダウンメニューＭ１５に予め設定する。
【００９５】
次に、手動放出スイッチ設定領域Ｒ４２には、手動放出スイッチ６を選択するためのプルダウンメニューＭ１６と、手動モード時の遅延時間を入力するための数値入力ボックスＢｘ１９が含まれる。このうち、プルダウンメニューＭ１６には、特定の手動放出スイッチ６が予め選択されている。この特定の手動放出スイッチ６とは、上記のプルダウンメニューＭ８で選択されたガス消火制御装置９の入力装置として予め選択されている手動放出スイッチ６である。この手動放出スイッチ６のアドレスを特定するために、防護区画設定部Ｆ２は、第１に、プルダウンメニューＭ８で選択されたガス消火制御装置９のアドレス「０１−００３」を特定する。第２に、装置テーブルＴＢＬ４を参照し、このアドレス「０１−００３」と対応付けられている手動放出スイッチ６の回線番号「３」を特定する。最後に、特定したアドレス「０１−００３」と回線番号「３」を組み合わせて、アドレス「０１−００３−３」を構成し、図２３に例示するように、プルダウンメニューＭ１６に予め設定する。
【００９６】
次に、緊急停止スイッチ設定領域Ｒ４３には、緊急停止スイッチ７を選択するためのプルダウンメニューＭ１７が含まれる。このプルダウンメニューＭ１７には、特定の緊急停止スイッチ７が予め選択されている。この特定の緊急停止スイッチ７とは、上記のプルダウンメニューＭ８で選択されたガス消火制御装置９の入力装置として予め選択されている緊急停止スイッチ７である。この緊急停止スイッチ７のアドレスを特定するために、防護区画設定部Ｆ２は、第１に、プルダウンメニューＭ８で選択されたガス消火制御装置９のアドレス「０１−００３」を特定する。第２に、装置テーブルＴＢＬ４を参照し、このアドレス「０１−００３」と対応付けられている緊急停止スイッチ７の回線番号「４」を特定する。最後に、特定したアドレス「０１−００３」と回線番号「４」を組み合わせて、アドレス「０１−００３−４」を構成し、図２３に例示するように、プルダウンメニューＭ１７に予め設定する。
【００９７】
次に、出力装置設定領域Ｒ４４には、出力装置を選択するためのプルダウンメニューＭ１８と、出力装置の動作パターンを選択するためのプルダウンメニューＭ１９〜Ｍ２１が含まれる。プルダウンメニューＭ１９〜Ｍ２１のうち、プルダウンメニューＭ１９は、第１報時の動作パターンを選択するためのプルダウンメニューであり、プルダウンメニューＭ２０は、放出予告時の動作パターンを選択するためのプルダウンメニューであり、プルダウンメニューＭ２１は、放出時の動作パターンを選択するためのプルダウンメニューである。
【００９８】
プルダウンメニューＭ１８には、特定の出力装置が予め選択されている。この特定の出力装置とは、上記のプルダウンメニューＭ８で選択されたガス消火制御装置９の出力装置である。この出力装置のアドレスを特定するために、防護区画設定部Ｆ２は、第１に、プルダウンメニューＭ８で選択されたガス消火制御装置９のアドレス「０１−００３」の直後のアドレス「０１−００４」を特定する。第２に、装置テーブルＴＢＬ４を参照し、このアドレス「０１−００４」と対応付けられている第１番目の出力装置「ベル」の回線番号「１」を特定する。最後に、特定したアドレス「０１−００４」と回線番号「１」を組み合わせて、アドレス「０１−００４−１」を構成し、図２３に例示するように、プルダウンメニューＭ１８に予め設定する。
【００９９】
次に、出力装置設定領域Ｒ４５には、出力装置を選択するためのプルダウンメニューＭ２２と、出力装置の動作パターンを選択するためのプルダウンメニューＭ２３〜Ｍ２５が含まれる。プルダウンメニューＭ２３〜Ｍ２５のうち、プルダウンメニューＭ２３は、第１報時の動作パターンを選択するためのプルダウンメニューであり、プルダウンメニューＭ２４は、放出予告時の動作パターンを選択するためのプルダウンメニューであり、プルダウンメニューＭ２５は、放出時の動作パターンを選択するためのプルダウンメニューである。
【０１００】
プルダウンメニューＭ２２には、特定の出力装置が予め選択されている。この特定の出力装置とは、上記のプルダウンメニューＭ８で選択されたガス消火制御装置９の出力装置である。この出力装置のアドレスを特定するために、防護区画設定部Ｆ２は、第１に、プルダウンメニューＭ８で選択されたガス消火制御装置９のアドレス「０１−００３」の直後のアドレス「０１−００４」を特定する。第２に、装置テーブルＴＢＬ４を参照し、このアドレス「０１−００４」と対応付けられている第２番目の出力装置「ストロボ」の回線番号「２」を特定する。最後に、特定したアドレス「０１−００４」と回線番号「２」を組み合わせて、アドレス「０１−００４−２」を構成し、図２３に例示するように、プルダウンメニューＭ２２に予め設定する。
【０１０１】
次に、放出表示灯設定領域Ｒ４６には、放出表示灯８を選択するためのプルダウンメニューＭ２６と、放出表示灯８の発光パターンを選択するためのプルダウンメニューＭ２７及びＭ２８が含まれる。プルダウンメニューＭ２７及びＭ２８のうち、プルダウンメニューＭ２７は、放出予告時の発光パターンを選択するためのプルダウンメニューであり、プルダウンメニューＭ２８は、放出時の発光パターンを選択するためのプルダウンメニューである。
【０１０２】
プルダウンメニューＭ２６には、特定の放出表示灯８が予め選択されている。この特定の放出表示灯８とは、上記のプルダウンメニューＭ８で選択されたガス消火制御装置９の出力装置として予め選択されている放出表示灯８である。この放出表示灯８のアドレスを特定するために、防護区画設定部Ｆ２は、第１に、プルダウンメニューＭ８で選択されたガス消火制御装置９のアドレス「０１−００３」の直後のアドレス「０１−００４」を特定する。第２に、装置テーブルＴＢＬ４を参照し、このアドレス「０１−００４」と対応付けられている放出表示灯８の回線番号「３」を特定する。最後に、特定したアドレス「０１−００４」と回線番号「３」を組み合わせて、アドレス「０１−００４−３」を構成し、図２３に例示するように、プルダウンメニューＭ２６に予め設定する。
【０１０３】
上記のガス消火制御装置設定領域Ｒ４では、防護区画設定部Ｆ２は、防護区画設定画面のプルダウンメニューＭ８においてメインのガス消火制御装置９が選択されると、選択されたガス消火制御装置９と装置テーブルＴＢＬ４において対応付けられている端末情報のアドレスを特定し、特定したアドレスをプルダウンメニューＭ１４〜Ｍ１８、Ｍ２２及びＭ２６に予め設定する。言い換えると、防護区画設定部Ｆ２は、防護区画設定画面において、防護区画について使用される装置としてガス消火制御装置９が設定されると、当該ガス消火制御装置９と装置設定画面において対応付けて設定された端末装置の情報（具体的には識別情報）を当該防護区画設定画面に反映させる。そのため、利用者にとって、防護区画設定画面において端末装置を選択する手間を省くことができる。
【０１０４】
以上説明した防護区画設定画面において、利用者が、図２３に例示するように情報を選択又は入力して、ＯＫボタンＢｔ１を選択すると、防護区画設定部Ｆ２は、選択又は入力された情報を装置テーブルＴＢＬ４に登録する。図２４は、選択又は入力された情報が新たに登録された装置テーブルＴＢＬ４の一例を示す図である。同図に示す装置テーブルＴＢＬ４には、アドレス「０１−００３」、「０１−００４」、「０１−００７」〜「０１−００９」に対応付けて、警戒区域「１００１」が新たに登録されている。ここで、アドレス「０１−００３」、「０１−００４」、「０１−００７」〜「０１−００９」は、防護区画設定画面において、入力装置又は出力装置として選択された装置のアドレスであり、警戒区域「１００１」は、数値入力ボックスＢｘ１６に自動設定された出力区域である。
【０１０５】
また、防護区画設定部Ｆ２は、選択又は入力された情報を設定情報テーブルＴＢＬ５に登録する。図２５は、情報が新たに登録された設定情報テーブルＴＢＬ５の一例を示す図である。同図に示す設定情報テーブルＴＢＬ５には、防護区画設定画面の手動放出スイッチ設定領域Ｒ４２において手動放出スイッチ６について設定された遅延時間が新たに登録されている。また、同画面の出力装置設定領域Ｒ４４及びＲ４５並びに放出表示灯設定領域Ｒ４６において各出力装置について設定された動作パターンが新たに登録されている。また、同画面の選択弁等設定領域Ｒ３において選択弁１２について設定された遅延時間及び放出時間が新たに登録されている。
【０１０６】
また、防護区画設定部Ｆ２は、選択又は入力された情報を連動制御テーブルＴＢＬ６に登録する。図２６は、選択又は入力された情報が新たに登録された連動制御テーブルＴＢＬ６の一例を示す図である。同図に示す連動制御テーブルＴＢＬ６には、連動制御条件として、入力区域「０００１」及び「０００２」の組に対応付けて、出力区域「１００１」と連動種別「クロス」が新たに登録されている。ここで、入力区域「０００１」及び「０００２」の組は、防護区画設定画面の数値入力ボックスＢｘ１２及びＢｘ１３に入力された入力区域の組であり、連動種別「クロス」は、チェックボックスＢｘ１０で選択された連動種別であり、出力区域「１００１」は、数値入力ボックスＢｘ１６に自動設定された出力区域である。この連動制御条件が設定されることにより、警戒区域「０００１」の火災感知器２と警戒区域「０００２」の火災感知器２の両方が作動すると、警戒区域「１００１」の装置が連動して制御されることになる。ここで、警戒区域「１００１」の装置とは、装置テーブルＴＢＬ４によれば、アドレス「０１−００３」、「０１−００４」、「０１−００７」〜「０１−００９」の装置である。
【０１０７】
次に、ステップＳａ１０において、利用者は、上記のステップＳａ９で設定した防護区画においてサブのガス消火制御装置９を使用可能とするための操作を行う。具体的には、まず、防護区画設定画面の表示を指示する。この指示を受けて、防護区画設定部Ｆ２は、上述した図２１に例示される防護区画設定画面を表示部１５２に表示させる。
【０１０８】
この防護区画設定画面のプルダウンメニューＭ７において、利用者が、同図に示すように、「使用する」を選択すると、防護区画設定部Ｆ２は、上述した図２２に例示されるガス消火制御装置９を使用する場合の防護区画設定画面を表示部１５２に表示させる。
【０１０９】
この防護区画設定画面において、利用者が、ラジオボタンＢｔ４をチェックし、プルダウンメニューＭ９において「０１−００５」を選択し、プルダウンメニューＭ１０において「０１−００３」を選択すると、防護区画設定部Ｆ２は、サブのガス消火制御装置９を登録するための防護区画設定画面を表示部１５２に表示させる。図２７は、このサブのガス消火制御装置９を登録するための防護区画設定画面の一例を示す図である。同図に示す防護区画設定画面は、プルダウンメニューＭ７（予め「使用する」が選択されている。）、ラジオボタンＢｔ３及びＢｔ４（予めラジオボタンＢｔ４が選択されている。）、プルダウンメニューＭ８、プルダウンメニューＭ９（予め「０１−００５」が選択されている。）、プルダウンメニューＭ１０（予め「０１−００３」が選択されている。）、連動制御設定領域Ｒ１、消火剤選択スイッチ設定領域Ｒ２、選択弁等設定領域Ｒ３、ガス消火制御装置設定領域Ｒ４、ＯＫボタンＢｔ１並びにキャンセルボタンＢｔ２を有する。この防護区画設定画面の構成要素は、上述した図２３に例示される防護区画設定画面と同様である。
【０１１０】
この防護区画設定画面の構成要素のうち、連動制御設定領域Ｒ１には、メインのガス消火制御装置９について設定された連動制御条件が予め設定されている。このメインのガス消火制御装置９とは、プルダウンメニューＭ１０で選択されたガス消火制御装置９である。この連動制御条件の自動設定を可能にするために、防護区画設定部Ｆ２は、第１に、プルダウンメニューＭ１０で選択されたメインのガス消火制御装置９のアドレス「０１−００３」を特定する。第２に、装置テーブルＴＢＬ４を参照して、このアドレス「０１−００３」と対応付けられている警戒区域「１００１」を特定する。第３に、連動制御テーブルＴＢＬ６を参照して、この警戒区域「１００１」を出力区域として有するレコードを特定する。最後に、このレコードの連動制御条件を、図２７に例示するように、連動制御設定領域Ｒ１に設定する。
【０１１１】
次に、消火剤選択スイッチ設定領域Ｒ２には、メインのガス消火制御装置９について設定された消火剤選択スイッチが予め設定されている。この消火剤選択スイッチの自動設定を可能にするために、防護区画設定部Ｆ２は、第１に、プルダウンメニューＭ１０で選択されたメインのガス消火制御装置９のアドレス「０１−００３」を特定する。第２に、装置テーブルＴＢＬ４を参照して、このアドレス「０１−００３」と、警戒区域「１００１」を介して対応付けられている消火剤選択スイッチのアドレス「０１−００７」を特定する。最後に、このアドレス「０１−００７」を、図２７に例示するように、消火剤選択スイッチ設定領域Ｒ２に設定する。
【０１１２】
次に、選択弁等設定領域Ｒ３には、メインのガス消火制御装置９について設定された選択弁１２等が予め設定されている。この選択弁１２等の自動設定を可能にするために、防護区画設定部Ｆ２は、第１に、プルダウンメニューＭ１０で選択されたメインのガス消火制御装置９のアドレス「０１−００３」を特定する。第２に、装置テーブルＴＢＬ４を参照して、このアドレス「０１−００３」と、警戒区域「１００１」を介して対応付けられている選択弁１２のアドレス「０１−００９」と圧力スイッチのアドレス「０１−００８」を特定する。第３に、設定情報テーブルＴＢＬ５を参照して、この選択弁１２のアドレス「０１−００９」と対応付けられている遅延時間「６０」と放出時間「３０」を特定する。最後に、特定したアドレスと時間を、図２７に例示するように、選択弁等設定領域Ｒ３に設定する。
【０１１３】
上記の連動制御設定領域Ｒ１〜選択弁等設定領域Ｒ３では、防護区画設定部Ｆ２は、防護区画設定画面のプルダウンメニューＭ９においてサブのガス消火制御装置９が選択され、プルダウンメニューＭ１０においてメインのガス消火制御装置９が選択されると、選択されたメインのガス消火制御装置９と装置テーブルＴＢＬ４、設定情報テーブルＴＢＬ５又は連動制御テーブルＴＢＬ６において対応付けられている情報を特定し、特定した情報をそれらの領域に予め設定する。言い換えると、防護区画設定部Ｆ２は、防護区画設定画面において、防護区画について追加的に使用される装置としてガス消火制御装置９が設定され、メインの装置として別のガス消火制御装置９が設定されると、選択されたメインのガス消火制御装置９と同じ防護区画について使用される装置として設定された端末装置の情報（具体的には識別情報）を当該防護区画設定画面に反映させる。そのため、利用者にとって、防護区画設定画面において情報を入力する手間を省くことができる。
【０１１４】
次に、ガス消火制御装置設定領域Ｒ４には、上記の通り、モード選択スイッチ設定領域Ｒ４１、手動放出スイッチ設定領域Ｒ４２、緊急停止スイッチ設定領域Ｒ４３、出力装置設定領域Ｒ４４及びＲ４５、並びに放出表示灯設定領域Ｒ４６が含まれる。
【０１１５】
このうち、モード選択スイッチ設定領域Ｒ４１のプルダウンメニューＭ１４には、サブのガス消火制御装置９の自動モードのアドレスが予め選択されている。この自動モードのアドレスを特定するために、防護区画設定部Ｆ２は、第１に、プルダウンメニューＭ９で選択されたサブのガス消火制御装置９のアドレス「０１−００５」を特定する。第２に、装置テーブルＴＢＬ４を参照し、このアドレス「０１−００５」と対応付けられている自動モードの回線番号「１」を特定する。最後に、特定したアドレス「０１−００５」と回線番号「１」を組み合わせて、アドレス「０１−００５−１」を構成し、図２７に例示するように、プルダウンメニューＭ１４に予め設定する。
【０１１６】
一方、モード選択スイッチ設定領域Ｒ４１のプルダウンメニューＭ１５には、サブのガス消火制御装置９の手動モードのアドレスが予め選択されている。この手動モードのアドレスを特定するために、防護区画設定部Ｆ２は、第１に、プルダウンメニューＭ９で選択されたサブのガス消火制御装置９のアドレス「０１−００５」を特定する。第２に、装置テーブルＴＢＬ４を参照し、このアドレス「０１−００５」と対応付けられている手動モードの回線番号「２」を特定する。最後に、特定したアドレス「０１−００５」と回線番号「２」を組み合わせて、アドレス「０１−００５−２」を構成し、図２７に例示するように、プルダウンメニューＭ１５に予め設定する。
【０１１７】
次に、手動放出スイッチ設定領域Ｒ４２のプルダウンメニューＭ１６には、サブのガス消火制御装置９の入力装置として予め選択されている手動放出スイッチ６が予め選択されている。この手動放出スイッチ６のアドレスを特定するために、防護区画設定部Ｆ２は、第１に、プルダウンメニューＭ９で選択されたサブのガス消火制御装置９のアドレス「０１−００５」を特定する。第２に、装置テーブルＴＢＬ４を参照し、このアドレス「０１−００５」と対応付けられている手動放出スイッチ６の回線番号「３」を特定する。最後に、特定したアドレス「０１−００５」と回線番号「３」を組み合わせて、アドレス「０１−００５−３」を構成し、図２７に例示するように、プルダウンメニューＭ１６に予め設定する。
【０１１８】
次に、緊急停止スイッチ設定領域Ｒ４３のプルダウンメニューＭ１７には、サブのガス消火制御装置９の入力装置として予め選択されている緊急停止スイッチ７が予め選択されている。この緊急停止スイッチ７のアドレスを特定するために、防護区画設定部Ｆ２は、第１に、プルダウンメニューＭ９で選択されたサブのガス消火制御装置９のアドレス「０１−００５」を特定する。第２に、装置テーブルＴＢＬ４を参照し、このアドレス「０１−００５」と対応付けられている緊急停止スイッチ７の回線番号「４」を特定する。最後に、特定したアドレス「０１−００５」と回線番号「４」を組み合わせて、アドレス「０１−００５−４」を構成し、図２７に例示するように、プルダウンメニューＭ１７に予め設定する。
【０１１９】
次に、出力装置設定領域Ｒ４４のプルダウンメニューＭ１８には、サブのガス消火制御装置９の出力装置が予め選択されている。この出力装置のアドレスを特定するために、防護区画設定部Ｆ２は、第１に、プルダウンメニューＭ９で選択されたサブのガス消火制御装置９のアドレス「０１−００５」の直後のアドレス「０１−００６」を特定する。第２に、装置テーブルＴＢＬ４を参照し、このアドレス「０１−００６」と対応付けられている第１番目の出力装置「ベル」の回線番号「１」を特定する。最後に、特定したアドレス「０１−００６」と回線番号「１」を組み合わせて、アドレス「０１−００６−１」を構成し、図２７に例示するように、プルダウンメニューＭ１８に予め設定する。
【０１２０】
次に、出力装置設定領域Ｒ４５のプルダウンメニューＭ２２には、サブのガス消火制御装置９の出力装置が予め選択されている。この出力装置のアドレスを特定するために、防護区画設定部Ｆ２は、第１に、プルダウンメニューＭ９で選択されたサブのガス消火制御装置９のアドレス「０１−００５」の直後のアドレス「０１−００６」を特定する。第２に、装置テーブルＴＢＬ４を参照し、このアドレス「０１−００６」と対応付けられている第２番目の出力装置「ストロボ」の回線番号「２」を特定する。最後に、特定したアドレス「０１−００６」と回線番号「２」を組み合わせて、アドレス「０１−００６−２」を構成し、図２７に例示するように、プルダウンメニューＭ２２に予め設定する。
【０１２１】
次に、放出表示灯設定領域Ｒ４６のプルダウンメニューＭ２６には、サブのガス消火制御装置９の出力装置が予め選択されている。この放出表示灯８のアドレスを特定するために、防護区画設定部Ｆ２は、第１に、プルダウンメニューＭ９で選択されたサブのガス消火制御装置９のアドレス「０１−００５」の直後のアドレス「０１−００６」を特定する。第２に、装置テーブルＴＢＬ４を参照し、このアドレス「０１−００６」と対応付けられている放出表示灯８の回線番号「３」を特定する。最後に、特定したアドレス「０１−００６」と回線番号「３」を組み合わせて、アドレス「０１−００６−３」を構成し、図２７に例示するように、プルダウンメニューＭ２６に予め設定する。
【０１２２】
上記のガス消火制御装置設定領域Ｒ４では、防護区画設定部Ｆ２は、防護区画設定画面のプルダウンメニューＭ９においてサブのガス消火制御装置９が選択されると、選択されたガス消火制御装置９と装置テーブルＴＢＬ４において対応付けられている端末情報のアドレスを特定し、特定したアドレスをプルダウンメニューＭ１４〜Ｍ１８、Ｍ２２及びＭ２６に予め設定する。言い換えると、防護区画設定部Ｆ２は、防護区画設定画面において、防護区画について追加的に使用される装置としてガス消火制御装置９が設定されると、当該ガス消火制御装置９と装置設定画面において対応付けて設定された端末装置の情報（具体的には識別情報）を当該防護区画設定画面に反映させる。そのため、利用者にとって、防護区画設定画面において端末装置を選択する手間を省くことができる。
【０１２３】
以上説明した防護区画設定画面において、利用者が、図２７に例示するように情報を選択又は入力して、ＯＫボタンＢｔ１を選択すると、防護区画設定部Ｆ２は、選択又は入力された情報を装置テーブルＴＢＬ４に登録する。図２８は、情報が新たに登録された装置テーブルＴＢＬ４の一例を示す図である。同図に示す装置テーブルＴＢＬ４には、アドレス「０１−００５」及び「０１−００６」に対応付けて、警戒区域「１００１」が新たに登録されている。ここで、アドレス「０１−００５」及び「０１−００６」は、防護区画設定画面において、入力装置又は出力装置として選択された装置のアドレスであり、警戒区域「１００１」は、数値入力ボックスＢｘ１６に自動設定された出力区域である。
【０１２４】
また、防護区画設定部Ｆ２は、選択又は入力された情報を設定情報テーブルＴＢＬ５に登録する。図２９は、情報が新たに登録された設定情報テーブルＴＢＬ５の一例を示す図である。同図に示す設定情報テーブルＴＢＬ５には、防護区画設定画面の手動放出スイッチ設定領域Ｒ４２において手動放出スイッチ６について設定された遅延時間が新たに登録されている。また、同画面の出力装置設定領域Ｒ４４及びＲ４５並びに放出表示灯設定領域Ｒ４６において各出力装置について設定された動作パターンが新たに登録されている。
【０１２５】
以上が、ＤＢ設定動作の一例についての説明である。以上のＤＢ設定動作を経て編集された装置テーブルＴＢＬ４、設定情報テーブルＴＢＬ５及び連動制御テーブルＴＢＬ６は、タブレット端末１５から火災受信機１０に移行されて、消火動作で利用される。
【０１２６】
なお、上記のＤＢ設定動作のステップＳａ９では、ガス消火制御装置９を使用して防護区画を設定することを想定しているが、必ずしもガス消火制御装置９を使用しなくてもよい。以下、ガス消火制御装置９を使用しない場合の防護区画の設定について説明する。この説明を行うにあたり、装置テーブルＴＢＬ４には、ステップＳａ９が実行される時点において、図３０に例示するように、アドレス「０１−０１０」〜「０１−０１６」の装置が追加的に登録されているものとする。
【０１２７】
上記のステップＳａ９において、利用者が、防護区画設定画面（図２１参照）のプルダウンメニューＭ７で「使用しない」を選択すると、防護区画設定部Ｆ２は、ガス消火制御装置９を使用しない場合の防護区画設定画面を表示部１５２に表示させる。図３１は、このガス消火制御装置９を使用しない場合の防護区画設定画面の一例を示す図である。同図に示す防護区画設定画面は、プルダウンメニューＭ７（予め「使用しない」が選択されている。）、連動制御設定領域Ｒ１、消火剤選択スイッチ設定領域Ｒ２、選択弁等設定領域Ｒ３、モード選択スイッチ設定領域Ｒ４１、手動放出スイッチ設定領域Ｒ４２、緊急停止スイッチ設定領域Ｒ４３、出力装置設定領域Ｒ４４及びＲ４５、放出表示灯設定領域Ｒ４６、ＯＫボタンＢｔ１並びにキャンセルボタンＢｔ２を有する。この防護区画設定画面は、ラジオボタンＢｔ３及びＢｔ４とプルダウンメニューＭ８〜Ｍ１０を有しない点と、モード選択スイッチ設定領域Ｒ４１等がガス消火制御装置設定領域Ｒ４としてグループ化されていない点において、上述した図２３に例示される防護区画設定画面と異なる。
【０１２８】
この防護区画設定画面の構成要素のうち、モード選択スイッチ設定領域Ｒ４１のプルダウンメニューＭ１４には、特定の自動モードのアドレスが予め選択されない。利用者は、プルダウンメニューＭ１４の矢印マークを選択し、自動モードのアドレスの候補をリスト表示させて、その候補の中からいずれかを選択する。その際、防護区画設定部Ｆ２は、装置テーブルＴＢＬ４を参照して、分類「自動モード」に対応付けられているアドレスのうち、特に消火システムチェック「Ｔｒｕｅ」に対応付けられているアドレスを抽出してリスト表示させる。
【０１２９】
一方、モード選択スイッチ設定領域Ｒ４１のプルダウンメニューＭ１５には、特定の手動モードのアドレスが予め選択されない。利用者は、プルダウンメニューＭ１５の矢印マークを選択し、手動モードのアドレスの候補をリスト表示させて、その候補の中からいずれかを選択する。その際、防護区画設定部Ｆ２は、装置テーブルＴＢＬ４を参照して、分類「手動モード」に対応付けられているアドレスのうち、特に消火システムチェック「Ｔｒｕｅ」に対応付けられているアドレスを抽出してリスト表示させる。
【０１３０】
次に、手動放出スイッチ設定領域Ｒ４２のプルダウンメニューＭ１６には、特定の手動放出スイッチ６が予め選択されない。利用者は、プルダウンメニューＭ１６の矢印マークを選択し、手動放出スイッチ６の候補をリスト表示させて、その候補の中からいずれかを選択する。その際、防護区画設定部Ｆ２は、装置テーブルＴＢＬ４を参照して、分類「手動放出スイッチ」に対応付けられているアドレスのうち、特に消火システムチェック「Ｔｒｕｅ」に対応付けられているアドレスを抽出してリスト表示させる。
【０１３１】
次に、緊急停止スイッチ設定領域Ｒ４３のプルダウンメニューＭ１７には、特定の緊急停止スイッチ７が予め選択されない。利用者は、プルダウンメニューＭ１７の矢印マークを選択し、緊急停止スイッチ７の候補をリスト表示させて、その候補の中からいずれかを選択する。その際、防護区画設定部Ｆ２は、装置テーブルＴＢＬ４を参照して、分類「緊急停止スイッチ」に対応付けられているアドレスのうち、特に消火システムチェック「Ｔｒｕｅ」に対応付けられているアドレスを抽出してリスト表示させる。
【０１３２】
次に、出力装置設定領域Ｒ４４のプルダウンメニューＭ１８には、特定の出力装置が予め選択されない。利用者は、プルダウンメニューＭ１８の矢印マークを選択し、出力装置の候補をリスト表示させて、その候補の中からいずれかを選択する。その際、防護区画設定部Ｆ２は、装置テーブルＴＢＬ４を参照して、種別「出力装置」に対応付けられているアドレスのうち、特に消火システムチェック「Ｔｒｕｅ」に対応付けられているアドレスを抽出してリスト表示させる。
【０１３３】
次に、出力装置設定領域Ｒ４５のプルダウンメニューＭ２２には、特定の出力装置が予め選択されない。利用者は、プルダウンメニューＭ２２の矢印マークを選択し、出力装置の候補をリスト表示させて、その候補の中からいずれかを選択する。その際、防護区画設定部Ｆ２は、装置テーブルＴＢＬ４を参照して、種別「出力装置」に対応付けられているアドレスのうち、特に消火システムチェック「Ｔｒｕｅ」に対応付けられているアドレスを抽出してリスト表示させる。
【０１３４】
次に、放出表示灯設定領域Ｒ４６のプルダウンメニューＭ２６には、特定の放出表示灯８が予め選択されない。利用者は、プルダウンメニューＭ２６の矢印マークを選択し、放出表示灯８の候補をリスト表示させて、その候補の中からいずれかを選択する。その際、防護区画設定部Ｆ２は、装置テーブルＴＢＬ４を参照して、分類「放出表示灯」に対応付けられているアドレスのうち、特に消火システムチェック「Ｔｒｕｅ」に対応付けられているアドレスを抽出してリスト表示させる。
【０１３５】
以上説明した防護区画設定画面において、利用者が、図３１に例示するように情報を選択又は入力して、ＯＫボタンＢｔ１を選択すると、防護区画設定部Ｆ２は、選択又は入力された情報を装置テーブルＴＢＬ４に登録する。図３２は、選択又は入力された情報が新たに登録された装置テーブルＴＢＬ４の一例を示す図である。同図に示す装置テーブルＴＢＬ４には、アドレス「０１−００７」〜「０１−０１６」に対応付けて、警戒区域「１００１」が新たに登録されている。ここで、アドレス「０１−００７」〜「０１−０１６」は、防護区画設定画面において、入力装置又は出力装置として選択された装置のアドレスであり、警戒区域「１００１」は、数値入力ボックスＢｘ１６に自動設定された出力区域である。
【０１３６】
また、防護区画設定部Ｆ２は、選択又は入力された情報を設定情報テーブルＴＢＬ５に登録する。図３３は、情報が新たに登録された設定情報テーブルＴＢＬ５の一例を示す図である。同図に示す設定情報テーブルＴＢＬ５には、防護区画設定画面の手動放出スイッチ設定領域Ｒ４２において手動放出スイッチ６について設定された遅延時間が新たに登録されている。また、同画面の出力装置設定領域Ｒ４４及びＲ４５並びに放出表示灯設定領域Ｒ４６において各出力装置について設定された動作パターンが新たに登録されている。また、同画面の選択弁等設定領域Ｒ３において選択弁１２について設定された遅延時間及び放出時間が新たに登録されている。
【０１３７】
１−２−２．消火動作
次に、ガス系消火設備１で行われる消火動作について説明する。具体的には、動作モードが自動モードに設定されている防護区画に対する消火動作について説明する。また、動作モードが手動モードに設定されている防護区画に対する消火動作について説明する。
【０１３８】
１−２−２−１．自動モード
図３４及び図３５は、動作モードが自動モードに設定されている防護区画に対する消火動作の一例を示すシーケンス図である。同図に示す消火動作を説明するにあたって、火災受信機１０には、図２４に示す装置テーブルＴＢＬ４と、図２５に示す設定情報テーブルＴＢＬ５と、図２６に示す連動制御テーブルＴＢＬ６が移行済みであるものとする。ただし、これらのテーブルの移行後に、図２５に示す設定情報テーブルＴＢＬ５において、アドレス「０１−００３」で識別されるガス消火制御装置９に対応付けて動作モード「自動」が登録されているものとする。
【０１３９】
動作モードが自動モードに設定されている防護区画（以下、本動作の説明において「防護区画Ｚ１」という。）において火災が発生し、発生した火災が、防護区画Ｚ１に設置されている、アドレス「０１−００１」で識別される火災感知器２（以下、本動作の説明において「火災感知器２Ａ」という。）により感知されると、当該火災感知器２Ａは火災受信機１０に対して作動信号を出力する。この作動信号が入力された火災受信機１０の制御部１０１は（ステップＳｂ１）、火災受信機１０の火災灯１０２１を点灯させるとともに、ブザー１０３を鳴動させる（ステップＳｂ２）。その結果、監視室Ｒｍ４に滞在する監視員は、防護区画Ｚ１において火災が感知されたことを知ることができる。
【０１４０】
また、制御部１０１は、防護区画Ｚ１に設置されている、アドレス「０１−００４−１」で識別されるベル４（以下、本動作の説明において「ベル４Ａ」という。）を間欠鳴動させるために、同じく防護区画Ｚ１に設置されている、アドレス「０１−００３」で識別されるガス消火制御装置９（以下、本動作の説明において「ガス消火制御装置９Ａ」という。）に対して起動信号を出力する（ステップＳｂ３）。この起動信号を受けて、ガス消火制御装置９Ａの入出力制御部９４は、ベル４Ａを間欠鳴動させる（ステップＳｂ４）。その結果、防護区画Ｚ１に滞在する者は、当該防護区画Ｚ１において火災が感知されたことを知ることができる。
【０１４１】
その後、防護区画Ｚ１において、アドレス「０１−００２」で識別される別の火災感知器２（以下、本動作の説明において「火災感知器２Ｂ」という。）により火災が感知されると、当該火災感知器２Ｂは火災受信機１０に対して作動信号を出力する。この作動信号が入力された火災受信機１０の制御部１０１は（ステップＳｂ５）、火災感知器２Ａ及び２Ｂの両方から作動信号が入力されたことをもって、カウントダウン条件が充足されたと判定する。そして、防護区画Ｚ１内に消火ガスが放出されるまでのカウントダウン（６０秒）を開始し、当該カウントダウンをカウントダウン表示器１０２４に表示させる（ステップＳｂ６）。また、制御部１０１は、火災受信機１０の放出予告灯１０２２を点灯させる（ステップＳｂ７）。その結果、監視室Ｒｍ４に滞在する監視員は、防護区画Ｚ１内に消火ガスが放出されることと、放出されるまでの秒数を知ることができる。
【０１４２】
また、制御部１０１は、防護区画Ｚ１に設置されているガス消火制御装置９Ａにおいて放出予告灯９２１４を点滅させるとともに、カウントダウン表示器９２２に上記のカウントダウンを表示させるために、当該ガス消火制御装置９Ａに対して起動信号を出力する（ステップＳｂ８）。この起動信号を受けて、ガス消火制御装置９Ａの入出力制御部９４は、表示部９２を制御する。表示部９２のうち、カウントダウン表示器９２２は、防護区画Ｚ１内に消火ガスが放出されるまでのカウントダウンを表示し（ステップＳｂ９）、放出予告灯９２１４は点滅する（ステップＳｂ１０）。その結果、このガス消火制御装置９Ａの表示面を見た者は、防護区画Ｚ１内に消火ガスが放出されることと、放出されるまでの秒数を知ることができる。
【０１４３】
なお、カウントダウン表示器９２２に表示される残り時間は、火災受信機１０のカウントダウン表示器１０２４に表示される残り時間よりも早めにしてもよい。これにより、カウントダウン表示器９２２に表示されるカウントダウンが終了する前に緊急停止スイッチ７を操作したにもかかわらず、噴射ヘッド３から消火ガスが放出されてしまうという事態がより確実に防止される。
【０１４４】
また、火災受信機１０の制御部１０１は、防護区画Ｚ１に設置されているベル４Ａを、より短い周期で間欠鳴動させるために、防護区画Ｚ１に設置されているガス消火制御装置９Ａに対して起動信号を出力する（ステップＳｂ１１）。この起動信号を受けて、ガス消火制御装置９Ａの入出力制御部９４は、ベル４Ａをより短い周期で間欠鳴動させる（ステップＳｂ１２）。その結果、防護区画Ｚ１に滞在する者は、防護区画Ｚ１内に消火ガスが放出されることを知ることができる。
【０１４５】
その後、火災受信機１０の制御部１０１によるカウントダウンが終了すると（ステップＳｂ１３）、制御部１０１はガス放出条件が充足されたと判定する。そして、防護区画Ｚ１内に消火ガスを放出するために、当該防護区画Ｚ１のために設置されている起動用ガス容器１３の容器弁ソレノイドを制御する中継器１４に対して起動信号を出力する（ステップＳｂ１４）。この起動信号が中継器１４に入力されると、中継器１４は容器弁ソレノイドを作動させ、当該起動用ガス容器１３から起動用ガスを放出させる。そして、その起動用ガスのガス圧により、消火ガス貯蔵容器１１の容器弁と、防護区画Ｚ１のために設置されている選択弁１２を開放する。ここで開放される選択弁１２は、アドレス「０１−００９」で識別される選択弁１２（以下、本動作の説明において「選択弁１２Ａ」という。）である。その結果、消火ガス貯蔵容器１１に貯蔵された消火ガスは、当該選択弁１２Ａにより分枝される配管を通って、防護区画Ｚ１に設置されている噴射ヘッド３から放出される。
【０１４６】
選択弁１２Ａが開放されると、アドレス「０１−００８」で識別される圧力スイッチ（図示略）が作動して、火災受信機１０に対して作動信号を出力する。この作動信号が入力された火災受信機１０の制御部１０１は（ステップＳｂ１５）、火災受信機１０の放出予告灯９２１４を消灯し、代わりに放出灯１０２３を点灯させる（ステップＳｂ１６）。その結果、監視室Ｒｍ４に滞在する監視員は、防護区画Ｚ１内に消火ガスが放出されていることを知ることができる。
【０１４７】
また、制御部１０１は、防護区画Ｚ１に設置されているガス消火制御装置９Ａにおいて放出灯９２１５を点灯させるために、当該ガス消火制御装置９Ａに対して起動信号を出力する（ステップＳｂ１７）。この起動信号を受けて、ガス消火制御装置９Ａの入出力制御部９４は、表示部９２を制御する。表示部９２のうち、放出予告灯９２１４は消灯し、代わりに放出灯９２１５が点灯する（ステップＳｂ１８）。その結果、このガス消火制御装置９Ａの表示面を見た者は、防護区画Ｚ１内に消火ガスが放出されていることを知ることができる。
【０１４８】
また、火災受信機１０の制御部１０１は、防護区画Ｚ１に設置されているベル４Ａを連続鳴動させるために、防護区画Ｚ１に設置されているガス消火制御装置９Ａに対して起動信号を出力する（ステップＳｂ１９）。この起動信号を受けて、ガス消火制御装置９Ａの入出力制御部９４は、ベル４Ａを連続鳴動させる（ステップＳｂ２０）。その結果、防護区画Ｚ１に滞在する者は、防護区画Ｚ１内に消火ガスが放出されていることを知ることができる。
【０１４９】
また、火災受信機１０の制御部１０１は、防護区画Ｚ１に設置されている、アドレス「０１−００４−２」で識別されるストロボ５（以下、本動作の説明において「ストロボ５Ａ」という。）を発光させるために、防護区画Ｚ１に設置されているガス消火制御装置９Ａに対して起動信号を出力する（ステップＳｂ２１）。この起動信号を受けて、ガス消火制御装置９Ａの入出力制御部９４は、ストロボ５Ａを発光させる（ステップＳｂ２２）。その結果、防護区画Ｚ１に滞在する者は、防護区画Ｚ１内に消火ガスが放出されていることを視覚的に知ることができる。
【０１５０】
また、火災受信機１０の制御部１０１は、防護区画Ｚ１に設置されている、アドレス「０１−００４−３」で識別される放出表示灯８（以下、本動作の説明において「放出表示灯８Ａ」という。）を点灯させるために、防護区画Ｚ１に設置されているガス消火制御装置９Ａに対して起動信号を出力する（ステップＳｂ２３）。この起動信号を受けて、ガス消火制御装置９Ａの入出力制御部９４は、放出表示灯８Ａを点灯させる（ステップＳｂ２４）。その結果、防護区画Ｚ１の出入口付近にいる者は、防護区画Ｚ１内に消火ガスが放出されていることを知ることができる。
以上が、動作モードが自動モードに設定されている防護区画に対する消火動作についての説明である。
【０１５１】
なお、上記の消火動作において、防護区画Ｚ１に滞在する者が火災に気づき、当該防護区画Ｚ１に設置されている、アドレス「０１−００３−３」で識別される手動放出スイッチ６を操作した場合には、当該手動放出スイッチ６は起動信号を出力する。この起動信号は、防護区画Ｚ１に設置されているガス消火制御装置９Ａの入出力制御部９４により中継されて、火災受信機１０に入力される。この起動信号が入力された火災受信機１０の制御部１０１は、別の火災感知器２Ｂからの作動信号の出力を待たずに、上記のステップＳｂ６以降を実行する。加えて、防護区画Ｚ１に設置されているガス消火制御装置９Ａにおいて手動放出灯９２１６を点灯させるために、当該ガス消火制御装置９Ａに対して起動信号を出力する。この起動信号を受けて、ガス消火制御装置９Ａの入出力制御部９４は、表示部９２の手動放出灯９２１６を点灯させる。
【０１５２】
また、上記の消火動作において、カウントダウンの開始後に、防護区画Ｚ１に滞在する者が非火災を確認し、防護区画Ｚ１に設置されている、アドレス「０１−００３−４」で識別される緊急停止スイッチ７を操作すると、当該緊急停止スイッチ７は停止信号を出力する。この停止信号は、防護区画Ｚ１に設置されているガス消火制御装置９Ａの入出力制御部９４により中継されて、火災受信機１０に入力される。この停止信号が入力された火災受信機１０の制御部１０１は、カウントダウンを停止する。加えて、防護区画Ｚ１に設置されているガス消火制御装置９Ａにおいてカウントダウン表示器９２２に表示されているカウントダウンを停止させるとともに、緊急停止灯９２１７を点灯させるために、当該ガス消火制御装置９Ａに対して起動信号を出力する。この起動信号を受けて、ガス消火制御装置９Ａの入出力制御部９４は、表示部９２を制御する。表示部９２のうち、カウントダウン表示器９２２はカウントダウンを停止し、緊急停止灯９２１７は点灯する。
【０１５３】
１−２−２−２．手動モード
図３６は、動作モードが手動モードに設定されている防護区画に対する消火動作の一例を示すシーケンス図である。同図に示す消火動作を説明するにあたって、火災受信機１０には、図２４に示す装置テーブルＴＢＬ４と、図２５に示す設定情報テーブルＴＢＬ５と、図２６に示す連動制御テーブルＴＢＬ６が移行済みであるものとして説明する。ただし、これらのテーブルの移行後に、図２５に示す設定情報テーブルＴＢＬ５において、アドレス「０１−００３」で識別されるガス消火制御装置９に対応付けて動作モード「手動」が登録されているものとする。
【０１５４】
動作モードが手動モードに設定されている防護区画（以下、本動作の説明において「防護区画Ｚ２」という。）において火災が発生し、この火災に気づいた者が、防護区画Ｚ２に設置されている、アドレス「０１−００３−３」で識別される手動放出スイッチ６（以下、本動作の説明において「手動放出スイッチ６Ｂ」という。）を操作すると、当該手動放出スイッチ６Ｂは起動信号を出力する（ステップＳｃ１）。この起動信号は、防護区画Ｚ２に設置されている、アドレス「０１−００３」で識別されるガス消火制御装置９（以下、本動作の説明において「ガス消火制御装置９Ｂ」という。）の入出力制御部９４により中継されて、火災受信機１０に入力される（ステップＳｃ２）。この起動信号が入力された火災受信機１０の制御部１０１は、火災受信機１０の火災灯１０２１を点灯させるとともに、ブザー１０３を連続鳴動させる（ステップＳｃ３）。
【０１５５】
また、制御部１０１は、手動放出スイッチ６Ｂが操作されたことをもって、カウントダウン条件が充足されたと判定する。そして、防護区画Ｚ２内に消火ガスが放出されるまでのカウントダウン（２０秒）を開始し、当該カウントダウンをカウントダウン表示器１０２４に表示させる（ステップＳｃ４）。また、制御部１０１は、火災受信機１０の放出予告灯１０２２を点灯させる（ステップＳｃ５）。
【０１５６】
また、制御部１０１は、防護区画Ｚ２に設置されているガス消火制御装置９Ｂにおいて放出予告灯９２１４を点滅及び手動放出灯９２１６を点灯させるとともに、カウントダウン表示器９２２に上記のカウントダウンを表示させるために、当該ガス消火制御装置９Ｂに対して起動信号を出力する（ステップＳｃ６）。この起動信号を受けて、ガス消火制御装置９Ｂの入出力制御部９４は、表示部９２を制御する。表示部９２のうち、カウントダウン表示器９２２は、防護区画Ｚ２内に消火ガスが放出されるまでのカウントダウンを表示し（ステップＳｃ７）、放出予告灯９２１４は点滅し、手動放出灯９２１６は点灯する（ステップＳｃ８）。
【０１５７】
なお、カウントダウン表示器９２２に表示される残り時間は、火災受信機１０のカウントダウン表示器１０２４に表示される残り時間よりも早めにしてもよい。
【０１５８】
また、火災受信機１０の制御部１０１は、防護区画Ｚ２に設置されている、アドレス「０１−００４−１」で識別されるベル４（以下、本動作の説明において「ベル４Ｂ」という。）を短い周期で間欠鳴動させるために、防護区画Ｚ２に設置されているガス消火制御装置９Ｂに対して起動信号を出力する（ステップＳｃ９）。この起動信号を受けて、ガス消火制御装置９Ｂの入出力制御部９４は、ベル４Ｂを短い周期で間欠鳴動させる（ステップＳｃ１０）。
【０１５９】
その後、火災受信機１０の制御部１０１によるカウントダウンが終了すると（ステップＳｃ１１）、制御部１０１はガス放出条件が充足されたと判定する。そして、防護区画Ｚ２内に消火ガスを放出するために、当該防護区画Ｚ２のために設置されている起動用ガス容器１３の容器弁ソレノイドを制御する中継器１４に対して起動信号を出力する（ステップＳｃ１２）。この起動信号が中継器１４に入力されると、中継器１４は容器弁ソレノイドを作動させ、当該起動用ガス容器１３から起動用ガスを放出させる。そして、その起動用ガスのガス圧により、消火ガス貯蔵容器１１の容器弁と、防護区画Ｚ２のために設置されている選択弁１２を開放する。ここで開放される選択弁１２は、アドレス「０１−００９」で識別される選択弁１２（以下、本動作の説明において「選択弁１２Ｂ」という。）である。その結果、消火ガス貯蔵容器１１に貯蔵された消火ガスは、当該選択弁１２Ｂにより分枝される配管を通って、防護区画Ｚ２に設置されている噴射ヘッド３から放出される。
【０１６０】
選択弁１２Ｂが開放されると、アドレス「０１−００８」で識別される圧力スイッチ（図示略）が作動して、火災受信機１０に対して作動信号を出力する。この作動信号が入力された火災受信機１０の制御部１０１は（ステップＳｃ１３）、火災受信機１０の放出予告灯９２１４を消灯し、代わりに放出灯１０２３を点灯させる（ステップＳｃ１４）。
【０１６１】
また、制御部１０１は、防護区画Ｚ２に設置されているガス消火制御装置９Ｂにおいて放出灯９２１５を点灯させるために、当該ガス消火制御装置９Ｂに対して起動信号を出力する（ステップＳｃ１５）。この起動信号を受けて、ガス消火制御装置９Ｂの入出力制御部９４は、表示部９２を制御する。表示部９２のうち、放出予告灯９２１４は消灯し、代わりに放出灯９２１５が点灯する（ステップＳｃ１６）。
【０１６２】
また、火災受信機１０の制御部１０１は、防護区画Ｚ２に設置されているベル４Ｂを連続鳴動させるために、防護区画Ｚ２に設置されているガス消火制御装置９Ｂに対して起動信号を出力する（ステップＳｃ１７）。この起動信号を受けて、ガス消火制御装置９Ｂの入出力制御部９４は、ベル４Ｂを連続鳴動させる（ステップＳｃ１８）。
【０１６３】
また、火災受信機１０の制御部１０１は、防護区画Ｚ２に設置されている、アドレス「０１−００４−２」で識別されるストロボ５（以下、本動作の説明において「ストロボ５Ｂ」という。）を発光させるために、防護区画Ｚ２に設置されているガス消火制御装置９Ｂに対して起動信号を出力する（ステップＳｃ１９）。この起動信号を受けて、ガス消火制御装置９Ｂの入出力制御部９４は、ストロボ５Ｂを発光させる（ステップＳｃ２０）。
【０１６４】
また、火災受信機１０の制御部１０１は、防護区画Ｚ２に設置されている、アドレス「０１−００４−３」で識別される放出表示灯８（以下、本動作の説明において「放出表示灯８Ａ」という。）を点灯させるために、防護区画Ｚ２に設置されているガス消火制御装置９Ｂに対して起動信号を出力する（ステップＳｃ２１）。この起動信号を受けて、ガス消火制御装置９Ｂの入出力制御部９４は、放出表示灯８Ｂを点灯させる（ステップＳｃ２２）。
以上が、動作モードが手動モードに設定されている防護区画に対する消火動作についての説明である。
【０１６５】
２．変形例
上記の実施形態は以下のように変形してもよい。以下に記載する変形例は互いに組み合わせてもよい。
【０１６６】
２−１．変形例１
上記の実施形態では、タブレット端末１５においてＤＢ設定プログラムＰ２が実行され、ＤＢ設定動作が行われているが、このＤＢ設定プログラムＰ２は、他のコンピュータ（言い換えると、情報処理システム）上で実行されてもよい。例えば、スマートフォンや据え置き型ＰＣにおいて実行されてもよい。また、このＤＢ設定プログラムＰ２は、インターネット等のネットワークや非一時的な記録媒体を介して頒布されてもよい。
【０１６７】
２−２．変形例２
上記のＤＢ設定動作により設定される端末装置の種類は、あくまで一例であり、防火対象物の種類に応じて適宜変更されてよい。また、上記の防護区画設定画面（例えば、図２３参照）において設定される端末装置の数及び種類は、あくまで一例であり、防火対象物の種類や規模に応じて適宜変更されてよい。
【０１６８】
２−３．変形例３
上記の防護区画設定画面（例えば、図２３参照）の消火剤選択スイッチ設定領域Ｒ２及び選択弁等設定領域Ｒ３では、消火システムチェック「Ｔｒｕｅ」に対応付けられている端末装置のみが選択候補としてプルダウンメニューＭ１１〜Ｍ１３にリスト表示されるようになっている。これに代えて、消火システムチェックを参照せず、装置テーブルＴＢＬ４において警戒区域と対応付けられていない端末装置のみを選択候補としてプルダウンメニューＭ１１〜Ｍ１３にリスト表示させるようにしてもよい。このようにすれば、警戒区域が設定されていない端末装置のみをリスト表示させつつ、消火システムチェックボックスＢｘ８を省略することができる。
【符号の説明】
【０１６９】
１…ガス系消火設備、２…火災感知器、３…噴射ヘッド、４…ベル、５…ストロボ、６…手動放出スイッチ、７…緊急停止スイッチ、８…放出表示灯、９…ガス消火制御装置、１０…火災受信機、１１…消火ガス貯蔵容器、１２…選択弁、１３…起動用ガス容器、１４…中継器、９１…筺体、９２…表示部、９３…モード選択スイッチ、９４…入出力制御部、１０１…制御部、１０２…表示部、１０３…ブザー、１０４…伝送部、９２１…状態表示灯、９２２…カウントダウン表示器、１０１１…プロセッサ、１０１２…メモリ、１０２１…火災灯、１０２２…放出予告灯、１０２３…放出灯、１０２４…カウントダウン表示器、９２１１…電源灯、９２１２…自動モード表示灯、９２１３…手動モード表示灯、９２１４…放出予告灯、９２１５…放出灯、９２１６…手動放出灯、９２１７…緊急停止灯、Ｂ…建物、Ｂｔ１…ＯＫボタン、Ｂｔ２…キャンセルボタン、Ｂｔ３、Ｂｔ４…ラジオボタン、Ｂｘ１、Ｂｘ１１〜Ｂｘ１９…数値入力ボックス、Ｂｘ２〜Ｂｘ７、Ｂｘ９、Ｂｘ１０…チェックボックス、Ｂｘ８…消火システムチェックボックス、Ｆ１…装置設定部、Ｆ２…防護区画設定部、Ｌ１、Ｌ２…装置一覧、Ｍ１〜Ｍ２８…プルダウンメニュー、Ｐ１…制御プログラム、Ｐ２…ＤＢ設定プログラム、Ｒ１…連動制御設定領域、Ｒ２…消火剤選択スイッチ設定領域、Ｒ３…選択弁等設定領域、Ｒ４…ガス消火制御装置設定領域、Ｒ４１…モード選択スイッチ設定領域、Ｒ４２…手動放出スイッチ設定領域、Ｒ４３…緊急停止スイッチ設定領域、Ｒ４４、Ｒ４５…出力装置設定領域、Ｒ４６…放出表示灯設定領域、Ｒｍ１〜Ｒｍ３…部屋、Ｒｍ４…監視室、Ｒｍ５…シリンダ室、ＴＢＬ１、ＴＢＬ４…装置テーブル、ＴＢＬ２、ＴＢＬ５…設定情報テーブル、ＴＢＬ３、ＴＢＬ６…連動制御テーブル
【要約】
【課題】防護区画の設定を容易にする。
【解決手段】タブレット端末は、複数の防護区画のうちのいずれかについて使用される端末装置を、当該端末装置と火災受信機の間で信号を中継する中継装置と対応付けて設定するための装置設定画面を表示する。また、タブレット端末は、第１の防護区画について使用される複数の装置を設定するための防護区画設定画面を表示する。その際、タブレット端末は、前記装置設定画面において、前記中継装置と対応付けて前記端末装置が設定され、かつ、前記防護区画設定画面において、前記第１の防護区画について使用される装置として前記中継装置が設定されると、前記端末装置の情報を前記防護区画設定画面に反映させる。
【選択図】図２３【図１】
0006869316.tif 000002
【図２】
0006869316.tif 000003
【図３】
0006869316.tif 000004
【図４】
0006869316.tif 000005
【図５】
0006869316.tif 000006
【図６】
0006869316.tif 000007
【図７】
0006869316.tif 000008
【図８】
0006869316.tif 000009
【図９】
0006869316.tif 000010
【図１０】
0006869316.tif 000011
【図１１】
0006869316.tif 000012
【図１２】
0006869316.tif 000013
【図１３】
0006869316.tif 000014
【図１４】
0006869316.tif 000015
【図１５】
0006869316.tif 000016
【図１６】
0006869316.tif 000017
【図１７】
0006869316.tif 000018
【図１８】
0006869316.tif 000019
【図１９】
0006869316.tif 000020
【図２０】
0006869316.tif 000021
【図２１】
0006869316.tif 000022
【図２２】
0006869316.tif 000023
【図２３】
0006869316.tif 000024
【図２４】
0006869316.tif 000025
【図２５】
0006869316.tif 000026
【図２６】
0006869316.tif 000027
【図２７】
0006869316.tif 000028
【図２８】
0006869316.tif 000029
【図２９】
0006869316.tif 000030
【図３０】
0006869316.tif 000031
【図３１】
0006869316.tif 000032
【図３２】
0006869316.tif 000033
【図３３】
0006869316.tif 000034
【図３４】
0006869316.tif 000035
【図３５】
0006869316.tif 000036
【図３６】
0006869316.tif 000037